(57)【要約】本開示は、セルタイプ指示方法および装置を提供し、前記方法は、第１セルを管理する基地局に使用され、前記第１セルのセルタイプを決定することであって、前記第１セルのセルタイプは、高速鉄道専用ネットワークによってサービスされるセル、または一般的な公衆ＬＴＥネットワークのセルを含むことと、前記第１セルのセルタイプを指示するシステムメッセージを決定することと、前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始することとを含む。したがって、本開示は、高速鉄道専用ネットワークによってサービスされるセルに対するタイプ指示を実現することができ、セルへのアクセスの精度を向上させることもできる。【選択図】図１
2021510983.tif 000002
【特許請求の範囲】
【請求項１】
セルタイプ指示方法であって、
第１セルを管理する基地局に使用され、前記方法は、
前記第１セルのセルタイプを決定することであって、前記第１セルのセルタイプは、高速鉄道専用ネットワークによってサービスされるセル、または一般的な公衆ロングタームエボリューション（ＬＴＥ）ネットワークのセルを含むことと、
前記第１セルのセルタイプを指示するシステムメッセージを決定することと、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始することとを含むことを特徴とする、前記セルタイプ指示方法。
【請求項２】
前記第１セルのセルタイプを指示するシステムメッセージを決定することは、
第１情報ユニットを生成することであって、前記第１情報ユニットは、セルタイプが高速鉄道専用ネットワークによってサービスされるセルであることを表すように構成されることと、
前記第１セルのセルタイプが高速鉄道専用ネットワークによってサービスされるセルである場合、第１情報ユニットをシステムメッセージに追加することと、
前記第１セルのセルタイプが一般的な公衆ＬＴＥネットワークのセルである場合、第１情報ユニットをシステムメッセージに追加しないこととを含むことを特徴とする、
請求項１に記載のセルタイプ指示方法。
【請求項３】
前記第１セルのセルタイプを指示するシステムメッセージを決定することは、
第２情報ユニットを生成することであって、前記第２情報ユニットのコンテンツが第１情報である場合、セルタイプが高速鉄道専用ネットワークによってサービスされるセルであることを表し、前記第２情報ユニットのコンテンツが第２情報である場合、セルタイプが一般的な公衆ＬＴＥネットワークのセルであることを表すように構成されることと、
前記第１セルのセルタイプが高速鉄道専用ネットワークによってサービスされるセルである場合、第２情報ユニットのコンテンツを前記第１情報として設定し、前記第１情報を設定した後の第２情報ユニットをシステムメッセージに追加することと、
前記第１セルのセルタイプが一般的な公衆ＬＴＥネットワークのセルである場合、第２情報ユニットのコンテンツを前記第２情報として設定し、前記第２情報を設定した後の第２情報ユニットをシステムメッセージに追加することとを含むことを特徴とする、
請求項１に記載のセルタイプ指示方法。
【請求項４】
前記第１セルのセルタイプを指示するシステムメッセージを決定することは、
第１トラッキングエリアコード（ＴＡＣ）を設定することであって、前記第１ＴＡＣは、セルタイプが高速鉄道専用ネットワークによってサービスされるセルであることを表すことと、
前記第１セルのセルタイプが高速鉄道専用ネットワークによってサービスされるセルである場合、前記第１ＴＡＣをシステムメッセージに追加することと、
前記第１セルのセルタイプが一般的な公衆ＬＴＥネットワークのセルである場合、前記第１ＴＡＣをシステムメッセージに追加しないこととを含むを特徴とする、
請求項１に記載のセルタイプ指示方法。
【請求項５】
前記第１セルのセルタイプを指示するシステムメッセージを決定することは、
第２ＴＡＣを設定することであって、前記第２ＴＡＣは、セルタイプが高速鉄道専用ネットワークによってサービスされるセルであることを表すことと、
第３情報ユニットを生成することであって、前記第３情報ユニットのコンテンツが前記第２ＴＡＣである場合、セルタイプが高速鉄道専用ネットワークによってサービスされるセルであることを表し、前記第３情報ユニットのコンテンツが前記第２ＴＡＣではないと、セルタイプが一般的な公衆ＬＴＥネットワークのセルであることを表すように構成されることと、
前記第１セルのセルタイプが高速鉄道専用ネットワークによってサービスされるセルである場合、前記第３情報ユニットのコンテンツを前記第２ＴＡＣとして設定し、前記第２ＴＡＣを設定した後の第３情報ユニットをシステムメッセージに追加することと、
前記第１セルのセルタイプが一般的な公衆ＬＴＥネットワークのセルである場合、第３情報ユニットのコンテンツを前記第２ＴＡＣ以外の他の情報として設定し、前記他の情報を設定した後の第３情報ユニットをシステムメッセージに追加することとを含むことを特徴とする、
請求項１に記載のセルタイプ指示方法。
【請求項６】
前記システム情報は、具体的に、システム情報ブロック（ＳＩＢ１）であることを特徴とする、
請求項１ないし５のいずれか一項に記載のセルタイプ指示方法。
【請求項７】
セルタイプ指示方法であって、
端末に使用され、前記方法は、
基地局によって送信された、第１セルのセルタイプを指示するシステムメッセージを受信することと、
前記システムメッセージに従って、前記第１セルのセルタイプを決定することであって、前記第１セルのセルタイプは、高速鉄道専用ネットワークによってサービスされるセル、または一般的な公衆ＬＴＥネットワークのセルを含むことと、
前記第１セルのセルタイプに従って前記第１セルにアクセスする必要があると決定した場合、前記第１セルへのアクセスを開始することとを含むことを特徴とする、前記セルタイプ指示方法。
【請求項８】
前記システムメッセージに従って、前記第１セルのセルタイプを決定することは、
前記システムメッセージに第１情報ユニットが含まれ、前記第１情報ユニットが、セルタイプが高速鉄道専用ネットワークによってサービスされるセルであることを表すように構成される場合、前記第１セルのセルタイプが高速鉄道専用ネットワークによってサービスされるセルであることを決定することと、
前記システムメッセージに前記第１情報ユニットが含まれない場合、前記第１セルのセルタイプが一般的な公衆ＬＴＥネットワークのセルであることを決定することとを含むことを特徴とする、
請求項７に記載のセルタイプ指示方法。
【請求項９】
前記システムメッセージに従って、前記第１セルのセルタイプを決定することは、
前記システムメッセージに第２情報ユニットが含まれ、且つ前記第２情報ユニットのコンテンツが第１情報であり、前記第１情報が、セルタイプが高速鉄道専用ネットワークによってサービスされるセルであることを表す場合、前記第１セルのセルタイプが高速鉄道専用ネットワークによってサービスされるセルであることを決定することと、
前記システムメッセージに第２情報ユニットが含まれ、且つ前記第２情報ユニットのコンテンツが第２情報であり、前記第２情報が、セルタイプが一般的な公衆ＬＴＥネットワークのセルであることを表す場合、前記第１セルのセルタイプが一般的な公衆ＬＴＥネットワークのセルであることを決定することとを含むことを特徴とする、
請求項７に記載のセルタイプ指示方法。
【請求項１０】
前記システムメッセージに従って、前記第１セルのセルタイプを決定することは、
前記システムメッセージに第１ＴＡＣが含まれ、前記第１ＴＡＣが、セルタイプが高速鉄道専用ネットワークによってサービスされるセルであることを表す場合、前記第１セルのセルタイプが高速鉄道専用ネットワークによってサービスされるセルであることを決定することと、
前記システムメッセージに前記第１ＴＡＣが含まれない場合、前記第１セルのセルタイプが一般的な公衆ＬＴＥネットワークのセルであることを決定することとを含むことを特徴とする、
請求項７に記載のセルタイプ指示方法。
【請求項１１】
前記システムメッセージに従って、前記第１セルのセルタイプを決定することは、
前記システムメッセージに第３情報ユニットが含まれ、且つ前記第３情報ユニットのコンテンツが第２ＴＡＣであり、前記第２ＴＡＣが、セルタイプが高速鉄道専用ネットワークによってサービスされるセルであることを表す場合、前記第１セルのセルタイプが高速鉄道専用ネットワークによってサービスされるセルであることを決定することと、
前記システムメッセージに第３情報ユニットが含まれ、且つ前記第３情報ユニットのコンテンツが前記第２ＴＡＣではなく、前記第３情報ユニットのコンテンツが前記第２ＴＡＣではないと、セルタイプが一般的な公衆ＬＴＥネットワークのセルであることを表す場合、前記第１セルのセルタイプが一般的な公衆ＬＴＥネットワークのセルであることを決定することとを含むことを特徴とする、
請求項７に記載のセルタイプ指示方法。
【請求項１２】
前記システム情報は、具体的に、システム情報ブロック（ＳＩＢ１）であることを特徴とする、
請求項７ないし１１のいずれか一項に記載のセルタイプ指示方法。
【請求項１３】
前記第１セルのセルタイプに従って前記第１セルにアクセスする必要があると決定した場合、前記第１セルへのアクセスを開始することは、
前記第１セルのセルタイプが高速鉄道専用ネットワークによってサービスされるセルであることを決定し、且つ端末の移動速度が第１速度閾値より高い場合、前記第１セルにアクセスする必要があると決定し、前記第１セルへのアクセスを開始することと、
前記第１セルのセルタイプが一般的な公衆ＬＴＥネットワークのセルであることを決定し、且つ端末の移動速度が第２速度閾値より低く、前記第２速度閾値が前記第１速度閾値より小さいか等しい場合、前記第１セルにアクセスする必要があると決定し、前記第１セルへのアクセスを開始することとを含むことを特徴とする、
請求項７に記載のセルタイプ指示方法。
【請求項１４】
セルタイプ指示装置であって、
第１セルを管理する基地局に使用され、前記装置は、
前記第１セルのセルタイプを決定するように構成される第１決定モジュールであって、前記第１セルのセルタイプは、高速鉄道専用ネットワークによってサービスされるセル、または一般的な公衆ロングタームエボリューション（ＬＴＥ）ネットワークのセルを含む第１決定モジュールと、
前記第１セルのセルタイプを指示するシステムメッセージを決定するように構成される第２決定モジュールと、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始するように構成される送信モジュールとを含むことを特徴とする、前記セルタイプ指示装置。
【請求項１５】
前記第２決定モジュールは、
第１情報ユニットを生成するように構成される第１生成サブモジュールであって、前記第１情報ユニットは、セルタイプが高速鉄道専用ネットワークによってサービスされるセルであることを表すように構成される第１生成サブモジュールと、
前記第１セルのセルタイプが高速鉄道専用ネットワークによってサービスされるセルである場合、第１情報ユニットをシステムメッセージに追加するように構成される第１処理サブモジュールと、
前記第１セルのセルタイプが一般的な公衆ＬＴＥネットワークのセルである場合、第１情報ユニットをシステムメッセージに追加しないように構成される第２処理サブモジュールとを含むことを特徴とする、
請求項１４に記載のセルタイプ指示装置。
【請求項１６】
前記第２決定モジュールは、
第２情報ユニットを生成するように構成される第２生成サブモジュールであって、前記第２情報ユニットのコンテンツが第１情報である場合、セルタイプが高速鉄道専用ネットワークによってサービスされるセルであることを表し、前記第２情報ユニットのコンテンツが第２情報である場合、セルタイプが一般的な公衆ＬＴＥネットワークのセルであることを表すように構成される第２生成サブモジュールと、
前記第１セルのセルタイプが高速鉄道専用ネットワークによってサービスされるセルである場合、第２情報ユニットのコンテンツを前記第１情報として設定し、前記第１情報を設定した後の第２情報ユニットをシステムメッセージに追加するように構成される第３処理サブモジュールと、
前記第１セルのセルタイプが一般的な公衆ＬＴＥネットワークのセルである場合、第２情報ユニットのコンテンツを前記第２情報として設定し、前記第２情報を設定した後の第２情報ユニットをシステムメッセージに追加するように構成される第４処理サブモジュールとを含むことを特徴とする、
請求項１４に記載のセルタイプ指示装置。
【請求項１７】
前記第２決定モジュールは、
第１トラッキングエリアコード（ＴＡＣ）を設定するように構成される第１設定サブモジュールであって、前記第１ＴＡＣは、セルタイプが高速鉄道専用ネットワークによってサービスされるセルであることを表す第１設定サブモジュールと、
前記第１セルのセルタイプが高速鉄道専用ネットワークによってサービスされるセルである場合、前記第１ＴＡＣをシステムメッセージに追加するように構成される第５処理サブモジュールと、
前記第１セルのセルタイプが一般的な公衆ＬＴＥネットワークのセルである場合、前記第１ＴＡＣをシステムメッセージに追加しないように構成される第６処理サブモジュールとを含むことを特徴とする、
請求項１４に記載のセルタイプ指示装置。
【請求項１８】
前記第２決定モジュールは、
第２ＴＡＣを設定するように構成される第２設定サブモジュールであって、前記第２ＴＡＣは、セルタイプが高速鉄道専用ネットワークによってサービスされるセルであることを表す第２設定サブモジュールと、
第３情報ユニットを生成するように構成される第３生成サブモジュールであって、前記第３情報ユニットのコンテンツが前記第２ＴＡＣである場合、セルタイプが高速鉄道専用ネットワークによってサービスされるセルであることを表し、前記第３情報ユニットのコンテンツが前記第２ＴＡＣではない場合、セルタイプが一般的な公衆ＬＴＥネットワークのセルであることを表すように構成される第３生成サブモジュールと、
前記第１セルのセルタイプが高速鉄道専用ネットワークによってサービスされるセルである場合、前記第３情報ユニットのコンテンツを前記第２ＴＡＣとして設定し、前記第２ＴＡＣを設定した後の第３情報ユニットをシステムメッセージに追加するように構成される第７処理サブモジュールと、
前記第１セルのセルタイプが一般的な公衆ＬＴＥネットワークのセルである場合、第３情報ユニットのコンテンツを前記第２ＴＡＣ以外の他の情報として設定し、前記他の情報を設定した後の第３情報ユニットをシステムメッセージに追加するように構成される第８処理サブモジュールとを含むことを特徴とする、
請求項１４に記載のセルタイプ指示装置。
【請求項１９】
前記システム情報は、具体的に、システム情報ブロック（ＳＩＢ１）であることを特徴とする、
請求項１４ないし１８のいずれか一項に記載のセルタイプ指示装置。
【請求項２０】
セルタイプ指示装置であって、
端末に使用され、前記装置は、
基地局によって送信された、第１セルのセルタイプを指示するシステムメッセージを受信するように構成される受信モジュールと、
前記システムメッセージに従って、前記第１セルのセルタイプを決定するように構成される決定モジュールであって、前記第１セルのセルタイプは、高速鉄道専用ネットワークによってサービスされるセル、または一般的な公衆ＬＴＥネットワークのセルを含む決定モジュールと、
前記システムメッセージに従って、前記第１セルのセルタイプを決定するように構成される決定モジュールであって、前記第１セルのセルタイプは、高速鉄道専用ネットワークによってサービスされるセル、または一般的な公衆ＬＴＥネットワークのセルを含む決定モジュールとを含むことを特徴とする、前記セルタイプ指示装置。
【請求項２１】
前記決定モジュールは、
前記システムメッセージに第１情報ユニットが含まれ、前記第１情報ユニットが、セルタイプが高速鉄道専用ネットワークによってサービスされるセルであることを表すように構成される場合、前記第１セルのセルタイプが高速鉄道専用ネットワークによってサービスされるセルであることを決定するように構成される第１決定サブモジュールと、
前記システムメッセージに前記第１情報ユニットが含まれない場合、前記第１セルのセルタイプが一般的な公衆ＬＴＥネットワークのセルであることを決定するように構成される第２決定サブモジュールとを含むことを特徴とする、
請求項２０に記載のセルタイプ指示装置。
【請求項２２】
前記決定モジュールは、
前記システムメッセージに第２情報ユニットが含まれ、且つ前記第２情報ユニットのコンテンツが第１情報であり、前記第１情報が、セルタイプが高速鉄道専用ネットワークによってサービスされるセルであることを表す場合、前記第１セルのセルタイプが高速鉄道専用ネットワークによってサービスされるセルであることを決定するように構成される第３決定サブモジュールと、
前記システムメッセージに第２情報ユニットが含まれ、且つ前記第２情報ユニットのコンテンツが第２情報であり、前記第２情報が、セルタイプが一般的な公衆ＬＴＥネットワークのセルであることを表す場合、前記第１セルのセルタイプが一般的な公衆ＬＴＥネットワークのセルであることを決定するように構成される第４決定サブモジュールとを含むことを特徴とする、
請求項２０に記載のセルタイプ指示装置。
【請求項２３】
前記決定モジュールは、
前記システムメッセージに第１ＴＡＣが含まれ、前記第１ＴＡＣが、セルタイプが高速鉄道専用ネットワークによってサービスされるセルであることを表す場合、前記第１セルのセルタイプが高速鉄道専用ネットワークによってサービスされるセルであることを決定するように構成される第５決定サブモジュールと、
前記システムメッセージに前記第１ＴＡＣが含まれない場合、前記第１セルのセルタイプが一般的な公衆ＬＴＥネットワークのセルであることを決定するように構成される第６決定サブモジュールとを含むことを特徴とする、
請求項２０に記載のセルタイプ指示装置。
【請求項２４】
前記決定モジュールは、
前記システムメッセージに第３情報ユニットが含まれ、且つ前記第３情報ユニットのコンテンツが第２ＴＡＣであり、前記第２ＴＡＣは、セルタイプが高速鉄道専用ネットワークによってサービスされるセルであることを表す場合、前記第１セルのセルタイプが高速鉄道専用ネットワークによってサービスされるセルであることを決定するように構成される第７決定サブモジュールと、
前記システムメッセージに第３情報ユニットが含まれ、且つ前記第３情報ユニットのコンテンツが前記第２ＴＡＣではなく、前記第３情報ユニットのコンテンツが前記第２ＴＡＣではないと、セルタイプが一般的な公衆ＬＴＥネットワークのセルであることを表す場合、前記第１セルのセルタイプが一般的な公衆ＬＴＥネットワークのセルであることを決定するように構成される第８決定サブモジュールとを含むことを特徴とする、
請求項２０に記載のセルタイプ指示装置。
【請求項２５】
前記システム情報は、具体的に、システム情報ブロック（ＳＩＢ１）であることを特徴とする、
請求項２０ないし２４のいずれか一項に記載のセルタイプ指示装置。
【請求項２６】
前記アクセスモジュールは、
前記第１セルのセルタイプが高速鉄道専用ネットワークによってサービスされるセルであることを決定し、且つ端末の移動速度が第１速度閾値より高い場合、前記第１セルにアクセスする必要があると決定し、前記第１セルへのアクセスを開始するように構成される第１アクセスサブモジュールと、
前記第１セルのセルタイプが一般的な公衆ＬＴＥネットワークのセルであることを決定し、且つ端末の移動速度が第２速度閾値より低く、前記第２速度閾値が前記第１速度閾値より小さいか等しい場合、前記第１セルにアクセスする必要があると決定し、前記第１セルへのアクセスを開始するように構成される第２アクセスサブモジュールとを含むことを特徴とする、
請求項２０に記載のセルタイプ指示装置。
【請求項２７】
コンピュータプログラムを記憶した非一時的なコンピュータ読み取り可能な記憶媒体であって、
前記コンピュータプログラムは、請求項１ないし６のいずれか一項に記載のセルタイプ指示方法を実行するために使用されることを特徴とする、前記非一時的なコンピュータ読み取り可能な記憶媒体。
【請求項２８】
コンピュータプログラムを記憶した非一時的なコンピュータ読み取り可能な記憶媒体であって、
前記コンピュータプログラムは、請求項７ないし１３のいずれか一項に記載のセルタイプ指示方法を実行するために使用されることを特徴とする、前記非一時的なコンピュータ読み取り可能な記憶媒体。
【請求項２９】
セルタイプ指示装置であって、
第１セルを管理する基地局に使用され、前記装置は、
プロセッサと、
プロセッサ実行可能命令を記憶するように構成されるメモリとを含み、
前記プロセッサは、
前記第１セルのセルタイプを決定し、前記第１セルのセルタイプは、高速鉄道専用ネットワークによってサービスされるセル、または一般的な公衆ロングタームエボリューション（ＬＴＥ）ネットワークのセルを含み、
前記第１セルのセルタイプを指示するシステムメッセージを決定し、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始するように構成されることを特徴とする、前記セルタイプ指示装置。
【請求項３０】
セルタイプ指示装置であって、
端末に使用され、前記装置は、
プロセッサと、
プロセッサ実行可能命令を記憶するように構成されるメモリとを含み、
前記プロセッサは、
基地局によって送信された、第１セルのセルタイプを指示するシステムメッセージを受信し、
前記システムメッセージに従って、前記第１セルのセルタイプを決定し、前記第１セルのセルタイプは、高速鉄道専用ネットワークによってサービスされるセル、または一般的な公衆ＬＴＥネットワークのセルを含み、
前記第１セルのセルタイプに従って前記第１セルにアクセスする必要があると決定した場合、前記第１セルへのアクセスを開始するように構成されることを特徴とする、前記セルタイプ指示装置。
【発明の詳細な説明】
【技術分野】
【０００１】
本開示は、通信技術分野に関し、特に、セルタイプ指示方法および装置に関する。
【背景技術】
【０００２】
高速鉄道技術の急速な発展および高速鉄道の高速展開に伴い、高速鉄道を選択して遠出するユーザがますます多くなる。高速鉄道に乗るモバイルユーザの通信ニーズを満たし、高速鉄道に乗るモバイルユーザの通信品質を保証するために、オペレータは、高速鉄道専用ネットワーク（Ｈｉｇｈ−ｓｐｅｅｄ−ｒａｉｌｗａｙ  ｄｅｄｉｃａｔｅｄ  ｎｅｔｗｏｒｋ）の展開を選択して、高速鉄道に乗るモバイルユーザ専用のサービスを提供することを試みる。関連技術では、異なる地域の周波数リソース状況に従って、高速鉄道専用ネットワークは、一般的な公衆ロングタームエボリューション（ＬＴＥ：Ｌｏｎｇ  Ｔｅｒｍ  Ｅｖｏｌｕｔｉｏｎ）ネットワークと同じ周波数を使用してもよく、異なる周波数を使用してもよい。しかし、高速鉄道専用ネットワークが、一般的に、より優れたカバレッジを有するため、高速鉄道に位置しないユーザ機器が高速鉄道専用ネットワークにアクセスする場合がよくあり、特に人口の多い都市部では、高速鉄道専用ネットワークの輻輳を引き起こしやすく、それにより、高速鉄道のモバイルユーザの通信品質に影響を及ぼす。
【発明の概要】
【発明が解決しようとする課題】
【０００３】
関連技術に存在する課題を解決するために、本開示の実施例は、セルタイプ指示方法および装置を提供する。
【課題を解決するための手段】
【０００４】
本開示の実施例の第１態様によれば、第１セルを管理する基地局に使用されるセルタイプ指示方法を提供し、前記方法は、
前記第１セルのセルタイプを決定することであって、前記第１セルのセルタイプは、高速鉄道専用ネットワークによってサービスされるセル、または一般的な公衆ロングタームエボリューション（ＬＴＥ）ネットワークのセルを含むことと、
前記第１セルのセルタイプを指示するシステムメッセージを決定することと、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始することとを含む。
【０００５】
一実施例において、前記第１セルのセルタイプを指示するシステムメッセージを決定することは、
第１情報ユニットを生成することであって、前記第１情報ユニットは、セルタイプが高速鉄道専用ネットワークによってサービスされるセルであることを表すように構成されることと、
前記第１セルのセルタイプが高速鉄道専用ネットワークによってサービスされるセルである場合、第１情報ユニットをシステムメッセージに追加することと、
前記第１セルのセルタイプが一般的な公衆ＬＴＥネットワークのセルである場合、第１情報ユニットをシステムメッセージに追加しないこととを含む。
【０００６】
一実施例において、前記第１セルのセルタイプを指示するシステムメッセージを決定することは、
第２情報ユニットを生成することであって、前記第２情報ユニットのコンテンツが第１情報である場合、セルタイプが高速鉄道専用ネットワークによってサービスされるセルであることを表し、前記第２情報ユニットのコンテンツが第２情報である場合、セルタイプが一般的な公衆ＬＴＥネットワークのセルであることを表すように構成されることと、
前記第１セルのセルタイプが高速鉄道専用ネットワークによってサービスされるセルである場合、第２情報ユニットのコンテンツを前記第１情報として設定し、前記第１情報を設定した後の第２情報ユニットをシステムメッセージに追加することと、
前記第１セルのセルタイプが一般的な公衆ＬＴＥネットワークのセルである場合、第２情報ユニットのコンテンツを前記第２情報として設定し、前記第２情報を設定した後の第２情報ユニットをシステムメッセージに追加することとを含む。
【０００７】
一実施例において、前記第１セルのセルタイプを指示するシステムメッセージを決定することは、
第１トラッキングエリアコード（ＴＡＣ）を設定することであって、前記第１ＴＡＣは、セルタイプが高速鉄道専用ネットワークによってサービスされるセルであることを表すことと、
前記第１セルのセルタイプが高速鉄道専用ネットワークによってサービスされるセルである場合、前記第１ＴＡＣをシステムメッセージに追加することと、
前記第１セルのセルタイプが一般的な公衆ＬＴＥネットワークのセルである場合、前記第１ＴＡＣをシステムメッセージに追加しないこととを含む。
【０００８】
一実施例において、前記第１セルのセルタイプを指示するシステムメッセージを決定することは、
第２ＴＡＣを設定することであって、前記第２ＴＡＣは、セルタイプが高速鉄道専用ネットワークによってサービスされるセルであることを表すことと、
第３情報ユニットを生成することであって、前記第３情報ユニットのコンテンツが前記第２ＴＡＣである場合、セルタイプが高速鉄道専用ネットワークによってサービスされるセルであることを表し、前記第３情報ユニットのコンテンツが前記第２ＴＡＣではないと、セルタイプが一般的な公衆ＬＴＥネットワークのセルであることを表すように構成されることと、
前記第１セルのセルタイプが高速鉄道専用ネットワークによってサービスされるセルである場合、前記第３情報ユニットのコンテンツを前記第２ＴＡＣとして設定し、前記第２ＴＡＣを設定した後の第３情報ユニットをシステムメッセージに追加することと、
前記第１セルのセルタイプが一般的な公衆ＬＴＥネットワークのセルである場合、第３情報ユニットのコンテンツを前記第２ＴＡＣ以外の他の情報として設定し、前記他の情報を設定した後の第３情報ユニットをシステムメッセージに追加することとを含む。
【０００９】
一実施例において、前記システム情報は、具体的に、システム情報ブロック（ＳＩＢ１）である。
【００１０】
本開示の実施例の第２態様によれば、セルタイプ指示方法を提供し、前記方法は端末に使用され、前記方法は、
基地局によって送信された、第１セルのセルタイプを指示するシステムメッセージを受信することと、
前記システムメッセージに従って、前記第１セルのセルタイプを決定することであって、前記第１セルのセルタイプは、高速鉄道専用ネットワークによってサービスされるセル、または一般的な公衆ＬＴＥネットワークのセルを含むことと、
前記第１セルのセルタイプに従って前記第１セルにアクセスする必要があると決定した場合、前記第１セルへのアクセスを開始することとを含む。
【００１１】
一実施例において、前記システムメッセージに従って、前記第１セルのセルタイプを決定することは、
前記システムメッセージに第１情報ユニットが含まれ、前記第１情報ユニットが、セルタイプが高速鉄道専用ネットワークによってサービスされるセルであることを表すように構成される場合、前記第１セルのセルタイプが高速鉄道専用ネットワークによってサービスされるセルであることを決定することと、
前記システムメッセージに前記第１情報ユニットが含まれない場合、前記第１セルのセルタイプが一般的な公衆ＬＴＥネットワークのセルであることを決定することとを含む。
【００１２】
一実施例において、前記システムメッセージに従って、前記第１セルのセルタイプを決定することは、
前記システムメッセージに第２情報ユニットが含まれ、且つ前記第２情報ユニットのコンテンツが第１情報であり、前記第１情報が、セルタイプが高速鉄道専用ネットワークによってサービスされるセルであることを表す場合、前記第１セルのセルタイプが高速鉄道専用ネットワークによってサービスされるセルであることを決定することと、
前記システムメッセージに第２情報ユニットが含まれ、且つ前記第２情報ユニットのコンテンツが第２情報であり、前記第２情報が、セルタイプが一般的な公衆ＬＴＥネットワークのセルであることを表す場合、前記第１セルのセルタイプが一般的な公衆ＬＴＥネットワークのセルであることを決定することとを含む。
【００１３】
一実施例において、前記システムメッセージに従って、前記第１セルのセルタイプを決定することは、
前記システムメッセージに第１ＴＡＣが含まれ、前記第１ＴＡＣが、セルタイプが高速鉄道専用ネットワークによってサービスされるセルであることを表す場合、前記第１セルのセルタイプが高速鉄道専用ネットワークによってサービスされるセルであることを決定することと、
前記システムメッセージに前記第１ＴＡＣが含まれない場合、前記第１セルのセルタイプが一般的な公衆ＬＴＥネットワークのセルであることを決定することとを含む。
【００１４】
一実施例において、前記システムメッセージに従って、前記第１セルのセルタイプを決定することは、
前記システムメッセージに第３情報ユニットが含まれ、且つ前記第３情報ユニットのコンテンツが第２ＴＡＣであり、前記第２ＴＡＣは、セルタイプが高速鉄道専用ネットワークによってサービスされるセルであることを表す場合、前記第１セルのセルタイプが高速鉄道専用ネットワークによってサービスされるセルであることを決定することと、
前記システムメッセージに第３情報ユニットが含まれ、且つ前記第３情報ユニットのコンテンツが前記第２ＴＡＣではなく、前記第３情報ユニットのコンテンツが前記第２ＴＡＣではないと、セルタイプが一般的な公衆ＬＴＥネットワークのセルであることを表す場合、前記第１セルのセルタイプが一般的な公衆ＬＴＥネットワークのセルであることを決定することとを含む。
【００１５】
一実施例において、前記システム情報は、具体的に、システム情報ブロック（ＳＩＢ１）である。
【００１６】
一実施例において、前記第１セルのセルタイプに従って前記第１セルにアクセスする必要があると決定した場合、前記第１セルへのアクセスを開始することは、
前記第１セルのセルタイプが高速鉄道専用ネットワークによってサービスされるセルであることを決定し、且つ端末の移動速度が第１速度閾値より高い場合、前記第１セルにアクセスする必要があると決定し、前記第１セルへのアクセスを開始することと、
前記第１セルのセルタイプが一般的な公衆ＬＴＥネットワークのセルであることを決定し、且つ端末の移動速度が第２速度閾値より低く、前記第２速度閾値が前記第１速度閾値より小さいか等しい場合、前記第１セルにアクセスする必要があると決定し、前記第１セルへのアクセスを開始することとを含む。
【００１７】
本開示の実施例の第３態様によれば、セルタイプ指示装置を提供し、前記装置は、第１セルを管理する基地局に使用され、前記装置は、
前記第１セルのセルタイプを決定するように構成される第１決定モジュールであって、前記第１セルのセルタイプは、高速鉄道専用ネットワークによってサービスされるセル、または一般的な公衆ＬＴＥネットワークのセルを含む第１決定モジュールと、
前記第１セルのセルタイプを指示するシステムメッセージを決定するように構成される第２決定モジュールと、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始するように構成される送信モジュールとを含む。
【００１８】
一実施例において、前記第２決定モジュールは、
第１情報ユニットを生成するように構成される第１生成サブモジュールであって、前記第１情報ユニットは、セルタイプが高速鉄道専用ネットワークによってサービスされるセルであることを表すように構成される第１生成サブモジュールと、
前記第１セルのセルタイプが高速鉄道専用ネットワークによってサービスされるセルである場合、第１情報ユニットをシステムメッセージに追加するように構成される第１処理サブモジュールと、
前記第１セルのセルタイプが一般的な公衆ＬＴＥネットワークのセルである場合、第１情報ユニットをシステムメッセージに追加しないように構成される第２処理サブモジュールとを含む。
【００１９】
一実施例において、前記第２決定モジュールは、
第２情報ユニットを生成するように構成される第２生成サブモジュールであって、前記第２情報ユニットのコンテンツが第１情報である場合、セルタイプが高速鉄道専用ネットワークによってサービスされるセルであることを表し、前記第２情報ユニットのコンテンツが第２情報である場合、セルタイプが一般的な公衆ＬＴＥネットワークのセルであることを表すように構成される第２生成サブモジュールと、
前記第１セルのセルタイプが高速鉄道専用ネットワークによってサービスされるセルである場合、第２情報ユニットのコンテンツを前記第１情報として設定し、前記第１情報を設定した後の第２情報ユニットをシステムメッセージに追加するように構成される第３処理サブモジュールと、
前記第１セルのセルタイプが一般的な公衆ＬＴＥネットワークのセルである場合、第２情報ユニットのコンテンツを前記第２情報として設定し、前記第２情報を設定した後の第２情報ユニットをシステムメッセージに追加するように構成される第４処理サブモジュールとを含む。
【００２０】
一実施例において、前記第２決定モジュールは、
第１トラッキングエリアコード（ＴＡＣ）を設定するように構成される第１設定サブモジュールであって、前記第１ＴＡＣは、セルタイプが高速鉄道専用ネットワークによってサービスされるセルであることを表す第１設定サブモジュールと、
前記第１セルのセルタイプが高速鉄道専用ネットワークによってサービスされるセルである場合、前記第１ＴＡＣをシステムメッセージに追加するように構成される第５処理サブモジュールと、
前記第１セルのセルタイプが一般的な公衆ＬＴＥネットワークのセルである場合、前記第１ＴＡＣをシステムメッセージに追加しないように構成される第６処理サブモジュールとを含む。
【００２１】
一実施例において、前記第２決定モジュールは、
第２ＴＡＣを設定するように構成される第２設定サブモジュールであって、前記第２ＴＡＣは、セルタイプが高速鉄道専用ネットワークによってサービスされるセルであることを表す第２設定サブモジュールと、
第３情報ユニットを生成するように構成される第３生成サブモジュールであって、前記第３情報ユニットのコンテンツが前記第２ＴＡＣである場合、セルタイプが高速鉄道専用ネットワークによってサービスされるセルであることを表し、前記第３情報ユニットのコンテンツが前記第２ＴＡＣではない場合、セルタイプが一般的な公衆ＬＴＥネットワークのセルであることを表すように構成される第３生成サブモジュールと、
前記第１セルのセルタイプが高速鉄道専用ネットワークによってサービスされるセルである場合、前記第３情報ユニットのコンテンツを前記第２ＴＡＣとして設定し、前記第２ＴＡＣを設定した後の第３情報ユニットをシステムメッセージに追加するように構成される第７処理サブモジュールと、
前記第１セルのセルタイプが一般的な公衆ＬＴＥネットワークのセルである場合、第３情報ユニットのコンテンツを前記第２ＴＡＣ以外の他の情報として設定し、前記他の情報を設定した後の第３情報ユニットをシステムメッセージに追加するように構成される第８処理サブモジュールとを含む。
【００２２】
一実施例において、前記システム情報は、具体的に、システム情報ブロック（ＳＩＢ１）である。
【００２３】
本開示の実施例の第４態様によれば、セルタイプ指示装置を提供し、前記装置は端末に使用され、前記装置は、
基地局によって送信された、第１セルのセルタイプを指示するシステムメッセージを受信するように構成される受信モジュールと、
前記システムメッセージに従って、前記第１セルのセルタイプを決定するように構成される決定モジュールであって、前記第１セルのセルタイプは、高速鉄道専用ネットワークによってサービスされるセル、または一般的な公衆ＬＴＥネットワークのセルを含む決定モジュールと、
前記システムメッセージに従って、前記第１セルのセルタイプを決定するように構成される決定モジュールであって、前記第１セルのセルタイプは、高速鉄道専用ネットワークによってサービスされるセル、または一般的な公衆ＬＴＥネットワークのセルを含む決定モジュールとを含む。
【００２４】
一実施例において、前記決定モジュールは、
前記システムメッセージに第１情報ユニットが含まれ、前記第１情報ユニットが、セルタイプが高速鉄道専用ネットワークによってサービスされるセルであることを表すように構成される場合、前記第１セルのセルタイプが高速鉄道専用ネットワークによってサービスされるセルであることを決定するように構成される第１決定サブモジュールと、
前記システムメッセージに前記第１情報ユニットが含まれない場合、前記第１セルのセルタイプが一般的な公衆ＬＴＥネットワークのセルであることを決定するように構成される第２決定サブモジュールとを含む。
【００２５】
一実施例において、前記決定モジュールは、
前記システムメッセージに第２情報ユニットが含まれ、且つ前記第２情報ユニットのコンテンツが第１情報であり、前記第１情報が、セルタイプが高速鉄道専用ネットワークによってサービスされるセルであることを表す場合、前記第１セルのセルタイプが高速鉄道専用ネットワークによってサービスされるセルであることを決定するように構成される第３決定サブモジュールと、
前記システムメッセージに第２情報ユニットが含まれ、且つ前記第２情報ユニットのコンテンツが第２情報であり、前記第２情報が、セルタイプが一般的な公衆ＬＴＥネットワークのセルであることを表す場合、前記第１セルのセルタイプが一般的な公衆ＬＴＥネットワークのセルであることを決定するように構成される第４決定サブモジュールとを含む。
【００２６】
一実施例において、前記決定モジュールは、
前記システムメッセージに第１ＴＡＣが含まれ、前記第１ＴＡＣが、セルタイプが高速鉄道専用ネットワークによってサービスされるセルであることを表す場合、前記第１セルのセルタイプが高速鉄道専用ネットワークによってサービスされるセルであることを決定するように構成される第５決定サブモジュールと、
前記システムメッセージに前記第１ＴＡＣが含まれない場合、前記第１セルのセルタイプが一般的な公衆ＬＴＥネットワークのセルであることを決定するように構成される第６決定サブモジュールとを含む。
【００２７】
一実施例において、前記決定モジュールは、
前記システムメッセージに第３情報ユニットが含まれ、且つ前記第３情報ユニットのコンテンツが第２ＴＡＣであり、前記第２ＴＡＣは、セルタイプが高速鉄道専用ネットワークによってサービスされるセルであることを表す場合、前記第１セルのセルタイプが高速鉄道専用ネットワークによってサービスされるセルであることを決定するように構成される第７決定サブモジュールと、
前記システムメッセージに第３情報ユニットが含まれ、且つ前記第３情報ユニットのコンテンツが前記第２ＴＡＣではなく、前記第３情報ユニットのコンテンツが前記第２ＴＡＣではないと、セルタイプが一般的な公衆ＬＴＥネットワークのセルであることを表す場合、前記第１セルのセルタイプが一般的な公衆ＬＴＥネットワークのセルであることを決定するように構成される第８決定サブモジュールとを含む。
【００２８】
一実施例において、前記システム情報は、具体的に、システム情報ブロック（ＳＩＢ１）である。
【００２９】
一実施例において、前記アクセスモジュールは、
前記第１セルのセルタイプが高速鉄道専用ネットワークによってサービスされるセルであることを決定し、且つ端末の移動速度が第１速度閾値より高い場合、前記第１セルにアクセスする必要があると決定し、前記第１セルへのアクセスを開始するように構成される第１アクセスサブモジュールと、
前記第１セルのセルタイプが一般的な公衆ＬＴＥネットワークのセルであることを決定し、且つ端末の移動速度が第２速度閾値より低く、前記第２速度閾値が前記第１速度閾値より小さいか等しい場合、前記第１セルにアクセスする必要があると決定し、前記第１セルへのアクセスを開始するように構成される第２アクセスサブモジュールとを含む。
【００３０】
本開示の実施例の第５態様によれば、コンピュータプログラムを記憶した非一時的なコンピュータ読み取り可能な記憶媒体を提供し、前記コンピュータプログラムは、前記第１態様に記載のセルタイプ指示方法を実行するために使用される。
【００３１】
本開示の実施例の第６態様によれば、コンピュータプログラムを記憶した非一時的なコンピュータ読み取り可能な記憶媒体を提供し、前記コンピュータプログラムは、前記第２態様に記載のセルタイプ指示方法を実行するために使用される。
【００３２】
本開示の実施例の第７態様によれば、セルタイプ指示装置を提供し、前記装置は、第１セルを管理する基地局に使用され、前記装置は、
プロセッサと、
プロセッサ実行可能命令を記憶するように構成されるメモリとを含み、
前記プロセッサは、
前記第１セルのセルタイプを決定し、前記第１セルのセルタイプは、高速鉄道専用ネットワークによってサービスされるセル、または一般的な公衆ロングタームエボリューション（ＬＴＥ）ネットワークのセルを含み、
前記第１セルのセルタイプを指示するシステムメッセージを決定し、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始するように構成される。
【００３３】
本開示の実施例の第８態様によれば、セルタイプ指示装置を提供し、前記装置は端末に使用され、前記装置は、
プロセッサと、
プロセッサ実行可能命令を記憶するように構成されるメモリとを含み、
前記プロセッサは、
基地局によって送信された、第１セルのセルタイプを指示するシステムメッセージを受信し、
前記システムメッセージに従って、前記第１セルのセルタイプを決定し、前記第１セルのセルタイプは、高速鉄道専用ネットワークによってサービスされるセル、または一般的な公衆ＬＴＥネットワークのセルを含み、
前記第１セルのセルタイプに従って前記第１セルにアクセスする必要があると決定した場合、前記第１セルへのアクセスを開始するように構成される。
【発明の効果】
【００３４】
本開示の実施例によって提供される技術的解決策は、以下の有利な効果を含み得る。
【００３５】
本開示における基地局は、先に、第１セルのセルタイプを決定することができ、前記第１セルのセルタイプパックは、高速鉄道専用ネットワークによってサービスされるセル、または一般的な公衆ＬＴＥネットワークのセルであり得、前記第１セルのセルタイプを指示するシステムメッセージを決定し、次に、第１セルのセルタイプを指示するシステムメッセージを端末に送信し、これにより、端末が、システムメッセージに従って、第１セルが高速鉄道専用ネットワークによってサービスされるセルであるかどうかを判断し、セルタイプに従って適切なセルを選択してアクセスするのに有益であり、それにより、高速鉄道専用ネットワークによってサービスされるセルに対するタイプ指示を実現し、さらに、セルへのアクセスの精度を向上させる。
【００３６】
本開示における端末は、基地局によって送信された、第１セルのセルタイプを指示するシステムメッセージを受信し、第１セルのセルタイプを指示するシステムメッセージに従って、第１セルのセルタイプを決定し、第１セルのセルタイプは、高速鉄道専用ネットワークによってサービスされるセル、または一般的な公衆ＬＴＥネットワークのセルを含み、および、第１セルのセルタイプに従って第１セルをアクセスする必要があると決定した場合、第１セルへのアクセスを開始することにより、セルタイプに従って適切なセルを選択してアクセスし、さらに、セルへのアクセスの精度を向上させることができる。
【００３７】
上記の一般的な説明および後述する詳細な説明は、単なる例示および説明に過ぎず、本開示を限定するものではないことを理解されたい。
【図面の簡単な説明】
【００３８】
ここでの図面は、本明細書に組み込まれてその一部を構成し、本発明と一致する実施例を示し、明細書とともに本発明の原理を説明するために使用される。
【図１】一例示的な実施例によって示されたセルタイプ指示方法のフローチャートである。
【図２】一例示的な実施例によって示されたセルタイプ指示方法的適用シナリオの概略図である。
【図３】一例示的な実施例によって示された別のセルタイプ指示方法のフローチャートである。
【図４】一例示的な実施例によって示された別のセルタイプ指示方法のフローチャートである。
【図５】一例示的な実施例によって示された別のセルタイプ指示方法のフローチャートである。
【図６】一例示的な実施例によって示された別のセルタイプ指示方法のフローチャートである。
【図７】一例示的な実施例によって示されたセルタイプ指示方法のフローチャートである。
【図８】一例示的な実施例によって示された別のセルタイプ指示方法のフローチャートである。
【図９】一例示的な実施例によって示された別のセルタイプ指示方法のフローチャートである。
【図１０】一例示的な実施例によって示された別のセルタイプ指示方法のフローチャートである。
【図１１】一例示的な実施例によって示された別のセルタイプ指示方法のフローチャートである。
【図１２】一例示的な実施例によって示された別のセルタイプ指示方法のフローチャートである。
【図１３】一例示的な実施例によって示されたセルタイプ指示方法の情報の相互作用の概略図である。
【図１４】一例示的な実施例によって示されたセルタイプ指示方法の別の情報の相互作用の概略図である。
【図１５】一例示的な実施例によって示されたセルタイプ指示装置のブロック図である。
【図１６】一例示的な実施例によって示された別のセルタイプ指示装置のブロック図である。
【図１７】一例示的な実施例によって示された別のセルタイプ指示装置のブロック図である。
【図１８】一例示的な実施例によって示された別のセルタイプ指示装置のブロック図である。
【図１９】一例示的な実施例によって示された別のセルタイプ指示装置のブロック図である。
【図２０】一例示的な実施例によって示されたセルタイプ指示装置のブロック図である。
【図２１】一例示的な実施例によって示された別のセルタイプ指示装置のブロック図である。
【図２２】一例示的な実施例によって示された別のセルタイプ指示装置のブロック図である。
【図２３】一例示的な実施例によって示された別のセルタイプ指示装置のブロック図である。
【図２４】一例示的な実施例によって示された別のセルタイプ指示装置のブロック図である。
【図２５】一例示的な実施例によって示された別のセルタイプ指示装置のブロック図である。
【図２６】一例示的な実施例によって示されたセルタイプ指示装置の例示的な構造図である。
【図２７】一例示的な実施例によって示されたセルタイプ指示装置の例示的な構造図である。
【発明を実施するための形態】
【００３９】
ここで、例示的な実施例について詳細に説明し、その例は図面に示す。特に明記しない限り、以下の説明が添付の図面に関する場合、異なる図面の同じ数字は同じまたは類似の要素を表す。以下の例示的な実施例で説明される実施形態は、本発明と一致するすべての実施形態を表すものではない。むしろ、それらは、添付された特許請求の範囲に詳述されたように、本発明の特定の態様と一致する装置および方法の例である。
【００４０】
本開示で使用される用語は、特定の実施形態を説明することのみを目的とし、本開示を限定するものではない。本開示および添付の特許請求の範囲で使用された単数形の「１つの」、「前記」および「当該」は、文脈が他の意味を明確に示さない限り、複数形も含むものとする。本明細書で使用された「および／または」という用語は、１つまたは複数の関連する列挙されたプロジェクトのいずれかまたはすべての可能な組み合わせを指し、それらを含むことを理解されたい。
【００４１】
本開示では、「第１」、「第２」、「第３」などの用語を使用して様々な情報を説明することができるが、これらの情報はこれらの用語に限定されないことを理解されたい。これらの用語は、同じタイプの情報をお互いに区別するためにのみ使用される。例えば、本開示の範囲から逸脱することなく、指示情報は第２情報とも称し得、同様に、第２情報は指示情報とも称し得る。文脈に応じて、本明細書で使用される「…ば」という語は、「…時」または「…場合」または「…決定に応答して」と解釈することができる。
【００４２】
図１は、一例示的な実施例によって示されたセルタイプ指示方法のフローチャートであり、図２は、一例示的な実施例によって示されたセルタイプ指示方法的適用シナリオの概略図であり、前記セルタイプ指示方法は、第１セルを管理する基地局に使用されることができ、図１に示されたように、前記セルタイプ指示方法は、次のステップ１１０〜１３０を含み得る。
【００４３】
ステップ１１０において、第１セルのセルタイプを決定し、前記第１セルのセルタイプは、高速鉄道専用ネットワークによってサービスされるセル、または一般的な公衆ＬＴＥネットワークのセルを含む。
【００４４】
本開示の実施例では、１つの基地局は１つまたは複数のセルを管理することができ、前記第１セルは、前記基地局が管理するこれらのセルのいずれか１つのセルである。
【００４５】
ステップ１２０において、第１セルのセルタイプを指示するシステムメッセージを決定する。
【００４６】
本開示の実施例では、システムメッセージは、第１セルのセルタイプを指示可能なコンテンツを含み得、こうして、前記システムメッセージは、第１セルのセルタイプを指示する機能を備えることができる。
【００４７】
例えば、システムメッセージに１つの情報ユニットを追加することができ、且つ前記追加された情報ユニットは、高速鉄道専用ネットワークによってサービスされるセルを指示するように構成される。端末がシステムメッセージを受信した後、前記システムメッセージが、追加された情報ユニットを含むことがわかる場合、前記セルが高速鉄道専用ネットワークによってサービスされるセルであることを示し、前記システムメッセージが、追加された情報ユニットを含まないことがわかる場合、前記セルが一般的な公衆ＬＴＥネットワークのセルであることを示す。
【００４８】
さらに例えば、高速鉄道専用ネットワークによってサービスされるセルに特別なトラッキングエリアコード（ＴＡＣ：Ｔｒａｃｋｉｎｇ  Ａｒｅａ  Ｃｏｄｅ）を割り当て、システムメッセージでブロードキャストすることができ、高速鉄道専用ネットワークによってサービスされるセルのみが前記特別なＴＡＣをブロードキャストすることができる。端末がシステムメッセージを受信した後、若前記システムメッセージが特別なＴＡＣが含むことがわかる場合、前記セルが高速鉄道専用ネットワークによってサービスされるセルであることを示し、前記システムメッセージが前記特別なＴＡＣが含まないことがわかる場合、前記セルが一般的な公衆ＬＴＥネットワークのセルであることを示す。
【００４９】
一実施例において、第１セルのセルタイプを指示するシステムメッセージは、具体的に、システム情報ブロック（ＳＩＢ１：Ｓｙｓｔｅｍ  Ｉｎｆｏｒｍａｔｉｏｎ  Ｂｌｏｃｋ）であってもよい。前記ＳＩＢ１は、ＬＴＥネットワークにおけるシステムメッセージ１であり、前記ＳＩＢ１は、主に、端末によるセルアクセスに関する情報を含む。
【００５０】
ステップ１３０において、第１セルのセルタイプを指示するシステムメッセージを端末に送信して、端末が前記システムメッセージに従って、第１セルのセルタイプを決定するようにし、第１セルのセルタイプに従って、第１セルにアクセスする必要があると決定した場合、第１セルへのアクセスを開始する。
【００５１】
一例示的なシナリオにおいて、図２に示されたように、端末および基地局を含む。基地局がセルタイプを指示する時、まず、第１セルのセルタイプを決定し、前記第１セルのセルタイプは、高速鉄道専用ネットワークによってサービスされるセル、または一般的な公衆ＬＴＥネットワークのセルを含み、次に、前記第１セルのセルタイプを指示するシステムメッセージを決定し、最後に、第１セルのセルタイプを指示するシステムメッセージを端末に送信し、こうして、端末は前記システムメッセージに従って第１セルのセルタイプを決定することができ、第１セルのセルタイプに従って、および自体の実際の状況と組み合わせて、第１セルにアクセスする必要があると決定した場合、第１セルへのアクセスを開始する。
【００５２】
前記実施例からわかるように、まず、第１セルのセルタイプを決定することができ、前記第１セルのセルタイプパックは、高速鉄道専用ネットワークによってサービスされるセルまたは一般的な公衆ＬＴＥネットワークのセルであり得、前記第１セルのセルタイプを指示するシステムメッセージを決定し、次に、第１セルのセルタイプを指示するシステムメッセージを端末に送信し、これは、端末が、システムメッセージに従って、第１セルが高速鉄道専用ネットワークによってサービスされるセルであるかどうかを判断し、セルタイプに従って適切なセルを選択してアクセスするのに有益であり、それにより、高速鉄道専用ネットワークによってサービスされるセルに対するタイプ指示を実現し、さらに、セルへのアクセスの精度を向上させる。
【００５３】
図３は、一例示的な実施例によって示された別のセルタイプ指示方法のフローチャートであり、前記セルタイプ指示方法は、第１セルを管理する基地局に使用されることができ、図１に示された方法を確立した基で、ステップ１２０を実行するとき、図３に示されたように、次のステップ３１０〜３３０を含み得る。
【００５４】
ステップ３１０において、第１情報ユニットを生成し、第１情報ユニットは、セルタイプが高速鉄道専用ネットワークによってサービスされるセルであることを表すように構成される。
【００５５】
ステップ３２０において、第１セルのセルタイプが高速鉄道専用ネットワークによってサービスされるセルである場合、第１情報ユニットをシステムメッセージに追加する。
【００５６】
一実施例において、第１情報ユニットを追加するために使用されるシステムメッセージは、具体的に、ＳＩＢ１であってもよい。
【００５７】
ステップ３３０において、第１セルのセルタイプが一般的な公衆ＬＴＥネットワークのセルである場合、第１情報ユニットをシステムメッセージに追加しない。
【００５８】
前記実施例からわかるように、第１情報ユニットを介して、セルタイプが高速鉄道専用ネットワークによってサービスされるセルであることを表し、第１セルのセルタイプが高速鉄道専用ネットワークによってサービスされるセルである場合、第１情報ユニットをシステムメッセージに追加し、第１セルのセルタイプが一般的な公衆ＬＴＥネットワークのセルである場合、第１情報ユニットをシステムメッセージに追加せず、こうして、端末は、システムメッセージに第１情報ユニットが含まれるかどうかによって、第１セルが高速鉄道専用ネットワークによってサービスされるセルであるかどうかを判断し、それにより、セルタイプ指示の信頼性を向上させ、セルタイプ指示の効率も向上させる。
【００５９】
図４は、一例示的な実施例によって示された別のセルタイプ指示方法のフローチャートであり、前記セルタイプ指示方法は、第１セルを管理する基地局に使用されることができ、図１に示された方法を確立した基で、ステップ１２０を実行するとき、図４に示されたように、次のステップ４１０〜４３０を含み得る。
【００６０】
ステップ４１０において、第２情報ユニットを生成し、前記第２情報ユニットのコンテンツが第１情報である場合、セルタイプが高速鉄道専用ネットワークによってサービスされるセルであることを表し、前記第２情報ユニットのコンテンツが第２情報である場合、セルタイプが一般的な公衆ＬＴＥネットワークのセルであることを表すように構成される。
【００６１】
ステップ４２０において、前記第１セルのセルタイプが高速鉄道専用ネットワークによってサービスされるセルである場合、第２情報ユニットのコンテンツを第１情報として設定し、第１情報を設定した後の第２情報ユニットをシステムメッセージに追加する。
【００６２】
一実施例において、第２情報ユニットを追加するために使用されるシステム情報は、具体的に、ＳＩＢ１であってもよい。
【００６３】
ステップ４３０において、第１セルのセルタイプが一般的な公衆ＬＴＥネットワークのセルである場合、第２情報ユニットのコンテンツを第２情報として設定し、第２情報を設定した後の第２情報ユニットをシステムメッセージに追加する。
【００６４】
前記実施例からわかるように、第２情報ユニットのコンテンツが第１情報である場合、セルタイプが高速鉄道専用ネットワークによってサービスされるセルであることを表し、および第２情報ユニットのコンテンツが第２情報である場合、セルタイプが一般的な公衆ＬＴＥネットワークのセルであることを表し、こうして、端末は、第２情報ユニットのコンテンツを介して第１セルが高速鉄道専用ネットワークによってサービスされるセルであるかどうかを判断することにより、セルタイプ指示の信頼性を向上させ、セルタイプ指示の効率も向上させる。
【００６５】
図５は、一例示的な実施例によって示された別のセルタイプ指示方法のフローチャートであり、前記セルタイプ指示方法は、第１セルを管理する基地局に使用されることができ、図１に示された方法を確立した基で、ステップ１２０を実行するとき、図５に示されたように、次のステップ５１０〜５３０を含み得る。
【００６６】
ステップ５１０において、第１ＴＡＣを設定し、前記第１ＴＡＣは、セルタイプが高速鉄道専用ネットワークによってサービスされるセルであることを表す。
【００６７】
本開示の実施例では、１つの基地局は１つまたは複数のセルを管理することができ、ここで、いくつかのセルは高速鉄道専用ネットワークによってサービスされるセルであり、いくつかのセルは一般的な公衆ＬＴＥネットワークのセルである。
【００６８】
基地局が、管理する１つまたは複数の高速鉄道専用ネットワークによってサービスされるセルに第１ＴＡＣを割り当てる場合、すべての高速鉄道専用ネットワークによってサービスされるセルに同じ第１ＴＡＣを割り当てることができる。
【００６９】
ステップ５２０において、第１セルのセルタイプが高速鉄道専用ネットワークによってサービスされるセルである場合、第１ＴＡＣをシステムメッセージに追加する。
【００７０】
一実施例において、第１ＴＡＣを追加するために使用されるシステム情報は、具体的に、ＳＩＢ１であってもよい。
【００７１】
ステップ５３０において、第１セルのセルタイプが一般的な公衆ＬＴＥネットワークのセルである場合、第１ＴＡＣをシステムメッセージに追加しない。
【００７２】
前記実施例からわかるように、第１ＴＡＣを介して、セルタイプが高速鉄道専用ネットワークによってサービスされるセルであることを表し、第１セルのセルタイプが高速鉄道専用ネットワークによってサービスされるセルである場合、第１ＴＡＣをシステムメッセージに追加し、第１セルのセルタイプが一般的な公衆ＬＴＥネットワークのセルである場合、第１ＴＡＣをシステムメッセージに追加せず、こうして、端末は、システムメッセージに第１ＴＡＣが含まれるかどうかによって、第１セルが高速鉄道専用ネットワークによってサービスされるセルであるかどうかを判断し、それにより、セルタイプ指示の信頼性を向上させ、セルタイプ指示の効率も向上させる。
【００７３】
図６は、一例示的な実施例によって示された別のセルタイプ指示方法のフローチャートであり、前記セルタイプ指示方法は、第１セルを管理する基地局に使用されることができ、図１に示された方法を確立した基で、ステップ１２０を実行するとき、図６に示されたように、次のステップ６１０〜６６０を含み得る。
【００７４】
ステップ６１０において、第２ＴＡＣを設定し、第２ＴＡＣは、セルタイプが高速鉄道専用ネットワークによってサービスされるセルであることを表す。
【００７５】
本開示の実施例では、１つの基地局は１つまたは複数のセルを管理することができ、ここで、いくつかのセルは高速鉄道専用ネットワークによってサービスされるセルであり、いくつかのセルは一般的な公衆ＬＴＥネットワークのセルである。
【００７６】
基地局が、管理する１つまたは複数の高速鉄道専用ネットワークによってサービスされるセルに第２ＴＡＣを割り当てる場合、すべての高速鉄道専用ネットワークによってサービスされるセルに同じ第２ＴＡＣを割り当てることができる。
【００７７】
ステップ６２０において、第３情報ユニットを生成し、第３情報ユニットのコンテンツが第２ＴＡＣである場合、セルタイプが高速鉄道専用ネットワークによってサービスされるセルであることを表すように構成され、第３情報ユニットのコンテンツが第２ＴＡＣではない場合、セルタイプが一般的な公衆ＬＴＥネットワークのセルであることを表すように構成される。
【００７８】
ステップ６３０において、第１セルのセルタイプが高速鉄道専用ネットワークによってサービスされるセルである場合、第３情報ユニットのコンテンツを第２ＴＡＣとして設定し、第２ＴＡＣを設定した後の第３情報ユニットをシステムメッセージに追加する。
【００７９】
一実施例において、第３情報ユニットを追加するために使用されるシステムメッセージは、具体的に、ＳＩＢ１であってもよい。
【００８０】
ステップ６４０において、第１セルのセルタイプが一般的な公衆ＬＴＥネットワークのセルである場合、第３情報ユニットのコンテンツを第２ＴＡＣではない他の情報として設定し、他の情報を設定した後の第３情報ユニットをシステムメッセージに追加する。
【００８１】
前記実施例からわかるように、第３情報ユニットが第２ＴＡＣを含むことにより、セルタイプが高速鉄道専用ネットワークによってサービスされるセルであることを表し、および第３情報ユニットが第２ＴＡＣを含まない場合、セルタイプが一般的な公衆ＬＴＥネットワークのセルであることを表し、こうして、端末は、第３情報ユニットが第２ＴＡＣを含むかどうかにより、第１セルが高速鉄道専用ネットワークによってサービスされるセルであるかどうかを判断し、それにより、セルタイプ指示の信頼性を向上させ、セルタイプ指示の効率も向上させる。
【００８２】
図７は、一例示的な実施例によって示されたセルタイプ指示方法のフローチャートであり、前記セルタイプ指示方法は端末に使用され、図７に示されたように、前記セルタイプ指示方法は、次のステップ７１０〜７３０を含み得る。
【００８３】
ステップ７１０において、基地局によって送信された、第１セルのセルタイプを指示するシステムメッセージを受信する。
【００８４】
本開示の実施例では、１つの基地局は１つまたは複数のセルを管理することができ、前記第１セルは、前記基地局が管理するこれらのセルのいずれか１つのセルである。
【００８５】
一実施例において、第１セルのセルタイプを指示するシステムメッセージは、具体的に、ＳＩＢ１であってもよい。
【００８６】
ステップ７２０において、第１セルのセルタイプを指示するシステムメッセージに従って、第１セルのセルタイプを決定し、第１セルのセルタイプは、高速鉄道専用ネットワークによってサービスされるセル、または一般的な公衆ＬＴＥネットワークのセルを含む。
【００８７】
本開示の実施例では、システムメッセージは、第１セルのセルタイプを指示可能なコンテンツを含み得、端末は、これらのコンテンツに従って、セルの第１セルのセルタイプを決定することができる。
【００８８】
例えば、基地局は、システムメッセージに１つの情報ユニットを追加し、前記追加された情報ユニットは、高速鉄道専用ネットワークによってサービスされるセルを指示するように構成される。端末がシステムメッセージを受信した後、前記システムメッセージが、追加された情報ユニットを含むことがわかる場合、前記セルが高速鉄道専用ネットワークによってサービスされるセルであることを示し、前記システムメッセージが、追加された情報ユニットを含まないことがわかる場合、前記セルが一般的な公衆ＬＴＥネットワークのセルであることを示す。
【００８９】
さらに例えば、基地局は、高速鉄道専用ネットワークによってサービスされるセルに特別なＴＡＣを割り当て、システムメッセージでブロードキャストし、高速鉄道専用ネットワークによってサービスされるセルのみが前記特別なＴＡＣをブロードキャストすることができる。端末がシステムメッセージを受信した後、若前記システムメッセージが特別なＴＡＣが含むことがわかる場合、前記セルが高速鉄道専用ネットワークによってサービスされるセルであることを示し、前記システムメッセージが前記特別なＴＡＣが含まないことがわかる場合、前記セルが一般的な公衆ＬＴＥネットワークのセルであることを示す。
【００９０】
ステップ７３０において、第１セルのセルタイプに従って、第１セルにアクセスする必要があると決定した場合、第１セルへのアクセスを開始する。
【００９１】
前記実施例からわかるように、基地局によって送信された、第１セルのセルタイプを指示するシステムメッセージを受信し、第１セルのセルタイプを指示するシステムメッセージに従って、第１セルのセルタイプを決定し、第１セルのセルタイプは、高速鉄道専用ネットワークによってサービスされるセル、または一般的な公衆ＬＴＥネットワークのセルを含み、および、第１セルのセルタイプに従って第１セルをアクセスする必要があると決定した場合、第１セルへのアクセスを開始することにより、セルタイプに従って適切なセルを選択してアクセスし、さらに、セルへのアクセスの精度を向上させることができる。
【００９２】
図８は、一例示的な実施例によって示された別のセルタイプ指示方法のフローチャートであり、前記セルタイプ指示方法は、端末に使用されることができ、図１に示された方法を確立した基で、ステップ７２０を実行するとき、図８に示されたように、次のステップ８１０〜８２０を含み得る。
【００９３】
ステップ８１０において、システムメッセージに第１情報ユニットが含まれ、前記第１情報ユニットが、セルタイプが高速鉄道専用ネットワークによってサービスされるセルであることを表すように構成される場合、第１セルのセルタイプが高速鉄道専用ネットワークによってサービスされるセルであることを決定する。
【００９４】
ステップ８２０において、システムメッセージに第１情報ユニットが含まれない場合、第１セルのセルタイプが一般的な公衆ＬＴＥネットワークのセルであることを決定する。
【００９５】
前記実施例からわかるように、第１情報ユニットは、セルタイプが高速鉄道専用ネットワークによってサービスされるセルであることを表すことができ、システムメッセージに第１情報ユニットが含まれ、第１情報ユニットが、セルタイプが高速鉄道専用ネットワークによってサービスされるセルであることを表すように構成される場合、第１セルのセルタイプが高速鉄道専用ネットワークによってサービスされるセルであることを決定し、システムメッセージに第１情報ユニットが含まれない場合、第１セルのセルタイプが一般的な公衆ＬＴＥネットワークのセルであることを決定し、それにより、セルタイプ指示の信頼性を向上させ、セルタイプを決定する効率も向上させる。
【００９６】
図９は、一例示的な実施例によって示された別のセルタイプ指示方法のフローチャートであり、前記セルタイプ指示方法は、端末に使用されることができ、図１に示された方法を確立した基で、ステップ７２０を実行するとき、図９に示されたように、次のステップ９１０〜９２０を含み得る。
【００９７】
ステップ９１０において、システムメッセージに第２情報ユニットが含まれ、且つ第２情報ユニットのコンテンツが第１情報であり、第１情報セルタイプが高速鉄道専用ネットワークによってサービスされるセルであることを表す場合、第１セルのセルタイプが高速鉄道専用ネットワークによってサービスされるセルであることを決定する。
【００９８】
ステップ９２０において、システムメッセージに第２情報ユニットが含まれ、且つ第２情報ユニットのコンテンツが第２情報であり、第２情報が、セルタイプが一般的な公衆ＬＴＥネットワークのセルであることを表す場合、第１セルのセルタイプが一般的な公衆ＬＴＥネットワークのセルであることを決定する。
【００９９】
前記実施例からわかるように、第２情報ユニットのコンテンツが第１情報である場合、セルタイプが高速鉄道専用ネットワークによってサービスされるセルであることを表すことができ、および第２情報ユニットのコンテンツが第２情報である場合、セルタイプが一般的な公衆ＬＴＥネットワークのセルであることを表すことができ、システムメッセージに第２情報ユニットが含まれ、且つ第２情報ユニットのコンテンツが第１情報であり、第１情報が、セルタイプが高速鉄道専用ネットワークによってサービスされるセルであることを表す場合、第１セルのセルタイプが高速鉄道専用ネットワークによってサービスされるセルであることを決定し、システムメッセージに第２情報ユニットが含まれ、且つ第２情報ユニットのコンテンツが第２情報であり、第２情報セルタイプが一般的な公衆ＬＴＥネットワークのセルであることを表すように構成される場合、第１セルのセルタイプが一般的な公衆ＬＴＥネットワークのセルであることを決定し、それにより、セルタイプ指示の信頼性を向上させ、セルタイプを決定する効率も向上させる。
【０１００】
図１０は、一例示的な実施例によって示された別のセルタイプ指示方法のフローチャートであり、前記セルタイプ指示方法は、端末に使用されることができ、図１に示された方法を確立した基で、ステップ７２０を実行するとき、図１０に示されたように、次のステップ１０１０〜１０２０を含み得る。
【０１０１】
ステップ１０１０において、システムメッセージに第１ＴＡＣが含まれ、前記第１ＴＡＣが、セルタイプが高速鉄道専用ネットワークによってサービスされるセルであることを表す場合、第１セルのセルタイプが高速鉄道専用ネットワークによってサービスされるセルであることを決定する。
【０１０２】
ステップ１０２０において、システムメッセージに第１ＴＡＣが含まれない場合、第１セルのセルタイプが一般的な公衆ＬＴＥネットワークのセルであることを決定する。
【０１０３】
前記実施例からわかるように、第１ＴＡＣは、セルタイプが高速鉄道専用ネットワークによってサービスされるセルであることを表すことができ、システムメッセージに第１ＴＡＣが含まれ、第１ＴＡＣが、セルタイプが高速鉄道専用ネットワークによってサービスされるセルであることを表す場合、第１セルのセルタイプが高速鉄道専用ネットワークによってサービスされるセルであることを決定し、システムメッセージに第１ＴＡＣが含まれない場合、第１セルのセルタイプが一般的な公衆ＬＴＥネットワークのセルであることを決定し、それにより、セルタイプ指示の信頼性を向上させ、セルタイプを決定する効率も向上させる。
【０１０４】
図１１は、一例示的な実施例によって示された別のセルタイプ指示方法のフローチャートであり、前記セルタイプ指示方法は、端末に使用されることができ、図１に示された方法を確立した基で、ステップ７２０を実行するとき、図１１に示されたように、次のステップ１１１０〜１１２０を含み得る。
【０１０５】
ステップ１１１０において、システムメッセージに第３情報ユニットが含まれ、且つ第３情報ユニットのコンテンツが第２ＴＡＣであり、第２ＴＡＣは、セルタイプが高速鉄道専用ネットワークによってサービスされるセルであることを表す場合、第１セルのセルタイプが高速鉄道専用ネットワークによってサービスされるセルであることを決定する。
【０１０６】
ステップ１１２０において、システムメッセージに第３情報ユニットが含まれ、且つ第３情報ユニットのコンテンツが第２ＴＡＣではなく、第３情報ユニットのコンテンツが第２ＴＡＣではないと、セルタイプが一般的な公衆ＬＴＥネットワークのセルであることを表すように構成される場合、第１セルのセルタイプが一般的な公衆ＬＴＥネットワークのセルであることを決定する。
【０１０７】
前記実施例からわかるように、第２ＴＡＣは、セルタイプが高速鉄道専用ネットワークによってサービスされるセルであることを表し、システムメッセージに第３情報ユニットが含まれ、且つ第３情報ユニットのコンテンツが第２ＴＡＣであり、第２ＴＡＣが、セルタイプが高速鉄道専用ネットワークによってサービスされるセルであることを表す場合、第１セルのセルタイプが高速鉄道専用ネットワークによってサービスされるセルであることを決定し、システムメッセージに第３情報ユニットが含まれ、且つ第３情報ユニットのコンテンツが第２ＴＡＣではなく、第３情報ユニットのコンテンツが第２ＴＡＣではないと、セルタイプが一般的な公衆ＬＴＥネットワークのセルであることを表すように構成される場合、第１セルのセルタイプが一般的な公衆ＬＴＥネットワークのセルであることを決定し、それにより、セルタイプ指示の信頼性を向上させ、セルタイプを決定する効率も向上させる。
【０１０８】
図１２は、一例示的な実施例によって示された別のセルタイプ指示方法のフローチャートであり、前記セルタイプ指示方法は端末に使用されることができ、図７に示された方法を確立した基で、ステップ７３０を実行するとき、端末は、自身のユーザタイプ（即ち、高速鉄道ユーザまたは一般的なユーザ）に従って、適切なセルを選択してアクセスすることができ、例えば、端末の移動速度が第１速度閾値より高い場合、高速鉄道専用ネットワークによってサービスされるセルを選択してアクセスし、端末の移動速度が第２速度閾値より低い場合、一般的な公衆ＬＴＥネットワークのセルを選択してアクセスする。図１２に示されたように、次のステップ１２１０〜１２２０を含み得る。
【０１０９】
ステップ１２１０において、第１セルのセルタイプが高速鉄道専用ネットワークによってサービスされるセルであることを決定し、且つ端末の移動速度が第１速度閾値より高い場合、第１セルにアクセスする必要があると決定し、且つ第１セルへのアクセスを開始する。
【０１１０】
ステップ１２２０において、第１セルのセルタイプが一般的な公衆ＬＴＥネットワークのセルであることを決定し、且つ端末の移動速度が第２速度閾値より低く、第２速度閾値が第１速度閾値より小さいか等しい場合、第１セルにアクセスする必要があると決定し、且つ第１セルへのアクセスを開始する。
【０１１１】
前記実施例からわかるように、第１セルのセルタイプが高速鉄道専用ネットワークによってサービスされるセルであることを決定し、且つ端末の移動速度が第１速度閾値より高い場合、第１セルにアクセスする必要があると決定し、第１セルへのアクセスを開始し、第１セルのセルタイプが一般的な公衆ＬＴＥネットワークのセルであることを決定し、且つ端末の移動速度が第２速度閾値より低く、第２速度閾値が第１速度閾値より小さいか等しい場合、第１セルにアクセスする必要があると決定し、第１セルへのアクセスを開始し、それにより、セルタイプに従って適切なセルを選択してアクセスすることを実現し、セルアクセスの効率を向上させる。
【０１１２】
図１３は、一例示的な実施例によって示されたセルタイプ指示方法の情報の相互作用の概略図であり、図１３に示されたように、端末および基地局を含み、ここで、基地局は１つまたは複数のセルを管理することができ、本開示の第１セルは、前記基地局が管理するこれらのセルのいずれか１つのセルであり、第１セルのセルタイプが高速鉄道専用ネットワークによってサービスされるセルであることを例にとり、端末と基地局間の情報の相互作用プロセスを具体的に説明する。
【０１１３】
（１−１）基地局は、第１セルのセルタイプが高速鉄道専用ネットワークによってサービスされるセルであることを決定する。
【０１１４】
（１−２）基地局は、第１情報ユニットを生成し、前記第１情報ユニットは、セルタイプが高速鉄道専用ネットワークによってサービスされるセルであることを表すように構成される。
【０１１５】
（１−３）基地局は、第１情報ユニットをシステムメッセージに追加する。
【０１１６】
（１−４）基地局は、端末にシステムメッセージを送信し、前記システムメッセージは第１情報ユニットを含む。
【０１１７】
（１−５）端末は、システムメッセージが第１情報ユニットが含むことに従って、第１セルのセルタイプが高速鉄道専用ネットワークによってサービスされるセルであることを決定する。
【０１１８】
（１−６）高速鉄道専用ネットワークによってサービスされるセルにアクセスする必要があると決定した場合、第１セルへのアクセスを開始する。
【０１１９】
図１４は、一例示的な実施例によって示されたセルタイプ指示方法の別の情報の相互作用の概略図であり、図１４に示されたように、端末および基地局を含み、ここで、基地局は１つまたは複数のセルを管理することができ、本開示の第１セルは、前記基地局が管理するこれらのセルのいずれか１つのセルであり、第１セルのセルタイプが高速鉄道専用ネットワークによってサービスされるセルであることを例にとり、端末と基地局間の情報の相互作用プロセスを具体的に説明する。
【０１２０】
（２−１）基地局は、第１セルのセルタイプが高速鉄道専用ネットワークによってサービスされるセルであることを決定する。
【０１２１】
（２−２）基地局は第１ＴＡＣを設定し、前記第１ＴＡＣは、セルタイプが高速鉄道専用ネットワークによってサービスされるセルであることを表す。
【０１２２】
（２−３）基地局は、第１ＴＡＣをシステムメッセージに追加する。
【０１２３】
（２−４）基地局は、端末にシステムメッセージを送信し、前記システムメッセージは第１ＴＡＣを含む。
【０１２４】
（２−５）端末は、システムメッセージに第１ＴＡＣが含まれることに従って、第１セルのセルタイプが高速鉄道専用ネットワークによってサービスされるセルであることを決定する。
【０１２５】
（２−６）高速鉄道専用ネットワークによってサービスされるセルにアクセスする必要があると決定した場合、第１セルへのアクセスを開始する。
【０１２６】
上記したセルタイプ指示方法の実施例に対応して、本開示は、セルタイプ指示装置の実施例をさらに提供する。
【０１２７】
図１５は、一例示的な実施例によって示されたセルタイプ指示装置のブロック図であり、前記装置は、第１セルを管理する基地局に使用され、図１に示されたセルタイプ指示方法を実行するように構成され、図１５に示されたように、前記セルタイプ指示装置は、
前記第１セルのセルタイプを決定するように構成される第１決定モジュール１５１であって、前記第１セルのセルタイプは、高速鉄道専用ネットワークによってサービスされるセル、または一般的な公衆ＬＴＥネットワークのセルを含む第１決定モジュール１５１と、
前記第１セルのセルタイプを指示するシステムメッセージを決定するように構成される第２決定モジュール１５２と、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始するように構成される送信モジュール１５３とを含み得る。
【０１２８】
前記実施例からわかるように、まず、第１セルのセルタイプを決定することができ、前記第１セルのセルタイプパックは、高速鉄道専用ネットワークによってサービスされるセルまたは一般的な公衆ＬＴＥネットワークのセルであり得、前記第１セルのセルタイプを指示するシステムメッセージを決定し、次に、第１セルのセルタイプを指示するシステムメッセージを端末に送信し、これは、端末が、システムメッセージに従って、第１セルが高速鉄道専用ネットワークによってサービスされるセルであるかどうかを判断し、セルタイプに従って適切なセルを選択してアクセスするのに有益であり、それにより、高速鉄道専用ネットワークによってサービスされるセルに対するタイプ指示を実現し、さらに、セルへのアクセスの精度を向上させる。
【０１２９】
一実施例において、図１５に示された装置を確立した基で、図１６に示されたように、前記第２決定モジュール１５２は、
第１情報ユニットを生成するように構成される第１生成サブモジュール１６１であって、前記第１情報ユニットは、セルタイプが高速鉄道専用ネットワークによってサービスされるセルであることを表すように構成され第１生成サブモジュール１６１と、
前記第１セルのセルタイプが高速鉄道専用ネットワークによってサービスされるセルである場合、第１情報ユニットをシステムメッセージに追加するように構成される第１処理サブモジュール１６２と、
前記第１セルのセルタイプが一般的な公衆ＬＴＥネットワークのセルである場合、第１情報ユニットをシステムメッセージに追加しないように構成される第２処理サブモジュール１６３とを含み得る。
【０１３０】
前記実施例からわかるように、第１情報ユニットを介して、セルタイプが高速鉄道専用ネットワークによってサービスされるセルであることを表し、第１セルのセルタイプが高速鉄道専用ネットワークによってサービスされるセルである場合、第１情報ユニットをシステムメッセージに追加し、第１セルのセルタイプが一般的な公衆ＬＴＥネットワークのセルである場合、第１情報ユニットをシステムメッセージに追加せず、こうして、端末は、システムメッセージに第１情報ユニットが含まれるかどうかによって、第１セルが高速鉄道専用ネットワークによってサービスされるセルであるかどうかを判断し、それにより、セルタイプ指示の信頼性を向上させ、セルタイプ指示の効率も向上させる。
【０１３１】
一実施例において、図１５に示された装置を確立した基で、図１７に示されたように、前記第２決定モジュール１５２は、
第２情報ユニットを生成するように構成される第２生成サブモジュール１７１であって、前記第２情報ユニットのコンテンツが第１情報である場合、セルタイプが高速鉄道専用ネットワークによってサービスされるセルであることを表し、前記第２情報ユニットのコンテンツが第２情報である場合、セルタイプが一般的な公衆ＬＴＥネットワークのセルであることを表すように構成される第２生成サブモジュール１７１と、
前記第１セルのセルタイプが高速鉄道専用ネットワークによってサービスされるセルである場合、第２情報ユニットのコンテンツを前記第１情報として設定し、前記第１情報を設定した後の第２情報ユニットをシステムメッセージに追加するように構成される第３処理サブモジュール１７２と、
前記第１セルのセルタイプが一般的な公衆ＬＴＥネットワークのセルである場合、第２情報ユニットのコンテンツを前記第２情報として設定し、前記第２情報を設定した後の第２情報ユニットをシステムメッセージに追加するように構成される第４処理サブモジュール１７３とを含み得る。
【０１３２】
前記実施例からわかるように、第２情報ユニットのコンテンツが第１情報である場合、セルタイプが高速鉄道専用ネットワークによってサービスされるセルであることを表し、および第２情報ユニットのコンテンツが第２情報である場合、セルタイプが一般的な公衆ＬＴＥネットワークのセルであることを表し、こうして、端末が第２情報ユニットのコンテンツを介して第１セルが高速鉄道専用ネットワークによってサービスされるセルであるかどうかを判断し、それにより、セルタイプ指示の信頼性を向上させ、セルタイプ指示の効率も向上させる。
【０１３３】
一実施例において、図１５に示された装置を確立した基で、図１８に示されたように、前記第２決定モジュール１５２は、
第１トラッキングエリアコード（ＴＡＣ）を設定するように構成される第１設定サブモジュール１８１であって、前記第１ＴＡＣは、セルタイプが高速鉄道専用ネットワークによってサービスされるセルであることを表す第１設定サブモジュール１８１と、
前記第１セルのセルタイプが高速鉄道専用ネットワークによってサービスされるセルである場合、前記第１ＴＡＣをシステムメッセージに追加するように構成される第５処理サブモジュール１８２と、
前記第１セルのセルタイプが一般的な公衆ＬＴＥネットワークのセルである場合、前記第１ＴＡＣをシステムメッセージに追加しないように構成される第６処理サブモジュール１８３とを含み得る。
【０１３４】
前記実施例からわかるように、第１ＴＡＣを介して、セルタイプが高速鉄道専用ネットワークによってサービスされるセルであることを表し、第１セルのセルタイプが高速鉄道専用ネットワークによってサービスされるセルである場合、第１ＴＡＣをシステムメッセージに追加し、第１セルのセルタイプが一般的な公衆ＬＴＥネットワークのセルである場合、第１ＴＡＣをシステムメッセージに追加せず、こうして、端末は、システムメッセージに第１ＴＡＣが含まれるかどうかによって、第１セルが高速鉄道専用ネットワークによってサービスされるセルであるかどうかを判断し、それにより、セルタイプ指示の信頼性を向上させ、セルタイプ指示の効率も向上させる。
【０１３５】
一実施例において、図１５に示された装置を確立した基で、図１９に示されたように、前記第２決定モジュール１５２は、
第２ＴＡＣを設定するように構成される第２設定サブモジュール１９１であって、前記第２ＴＡＣは、セルタイプが高速鉄道専用ネットワークによってサービスされるセルであることを表す第２設定サブモジュール１９１と、
第３情報ユニットを生成するように構成される第３生成サブモジュール１９２であって、前記第３情報ユニットのコンテンツが前記第２ＴＡＣである場合、セルタイプが高速鉄道専用ネットワークによってサービスされるセルであることを表し、前記第３情報ユニットのコンテンツが前記第２ＴＡＣではないと、セルタイプが一般的な公衆ＬＴＥネットワークのセルであることを表すように構成される第３生成サブモジュール１９２と、
前記第１セルのセルタイプが高速鉄道専用ネットワークによってサービスされるセルである場合、前記第３情報ユニットのコンテンツを前記第２ＴＡＣとして設定し、前記第２ＴＡＣを設定した後の第３情報ユニットをシステムメッセージに追加するように構成される第７処理サブモジュール１９３と、
前記第１セルのセルタイプが一般的な公衆ＬＴＥネットワークのセルである場合、第３情報ユニットのコンテンツを前記第２ＴＡＣ以外の他の情報として設定し、前記他の情報を設定した後の第３情報ユニットをシステムメッセージに追加するように構成される第８処理サブモジュール１９４とを含み得る。
【０１３６】
前記実施例からわかるように、第３情報ユニットが第２ＴＡＣを含むことにより、セルタイプが高速鉄道専用ネットワークによってサービスされるセルであることを表し、および第３情報ユニットが第２ＴＡＣを含まない場合、セルタイプが一般的な公衆ＬＴＥネットワークのセルであることを表し、こうして、端末は、第３情報ユニットが第２ＴＡＣを含むかどうかにより、第１セルが高速鉄道専用ネットワークによってサービスされるセルであるかどうかを判断し、それにより、セルタイプ指示の信頼性を向上させ、セルタイプ指示の効率も向上させる。
【０１３７】
一実施例において、図１５に示された装置を確立した基で、前記システム情報は、具体的に、ＳＩＢ１である。
【０１３８】
前記実施例からわかるように、ＳＩＢ１を介して第１セルのセルタイプを指示し、それにより、セルタイプ指示の信頼性を向上させる。
【０１３９】
図２０は、一例示的な実施例によって示されたセルタイプ指示装置のブロック図であり、前記装置は端末に使用され、図７に示されたセルタイプ指示方法を実行するように構成され、図２０に示されたように、前記セルタイプ指示装置は、
基地局によって送信された、第１セルのセルタイプを指示するシステムメッセージを受信するように構成される受信モジュール２０１と、
前記システムメッセージに従って、前記第１セルのセルタイプを決定するように構成される決定モジュール２０２であって、前記第１セルのセルタイプは、高速鉄道専用ネットワークによってサービスされるセル、または一般的な公衆ＬＴＥネットワークのセルを含む決定モジュール２０２と、
前記第１セルのセルタイプに従って前記第１セルにアクセスする必要があると決定した場合、前記第１セルへのアクセスを開始するように構成されるアクセスモジュール２０３とを含み得る。
【０１４０】
前記実施例からわかるように、基地局によって送信された、第１セルのセルタイプを指示するシステムメッセージを受信し、第１セルのセルタイプを指示するシステムメッセージに従って、第１セルのセルタイプを決定し、第１セルのセルタイプは、高速鉄道専用ネットワークによってサービスされるセル、または一般的な公衆ＬＴＥネットワークのセルを含み、および、第１セルのセルタイプに従って第１セルをアクセスする必要があると決定した場合、第１セルへのアクセスを開始することにより、セルタイプに従って適切なセルを選択してアクセスし、さらに、セルへのアクセスの精度を向上させることができる。
【０１４１】
一実施例において、図２０に示された装置を確立した基で、図２１に示されたように、前記決定モジュール２０２は、
前記システムメッセージに第１情報ユニットが含まれ、前記第１情報ユニットが、セルタイプが高速鉄道専用ネットワークによってサービスされるセルであることを表すように構成される場合、前記第１セルのセルタイプが高速鉄道専用ネットワークによってサービスされるセルであることを決定するように構成される第１決定サブモジュール２１１と、
前記システムメッセージに前記第１情報ユニットが含まれない場合、前記第１セルのセルタイプが一般的な公衆ＬＴＥネットワークのセルであることを決定するように構成される第２決定サブモジュール２１２とを含み得る。
【０１４２】
前記実施例からわかるように、第１情報ユニットは、セルタイプが高速鉄道専用ネットワークによってサービスされるセルであることを表すことができ、システムメッセージに第１情報ユニットが含まれ、第１情報ユニットが、セルタイプが高速鉄道専用ネットワークによってサービスされるセルであることを表す場合、第１セルのセルタイプが高速鉄道専用ネットワークによってサービスされるセルであることを決定し、システムメッセージに第１情報ユニットが含まれない場合、第１セルのセルタイプが一般的な公衆ＬＴＥネットワークのセルであることを決定し、それにより、セルタイプ指示の信頼性を向上させ、セルタイプを決定する効率も向上させる。
【０１４３】
一実施例において、図２０に示された装置を確立した基で、図２２に示されたように、前記決定モジュール２０２は、
前記システムメッセージに第２情報ユニットが含まれ、且つ前記第２情報ユニットのコンテンツが第１情報であり、前記第１情報が、セルタイプが高速鉄道専用ネットワークによってサービスされるセルであることを表す場合、前記第１セルのセルタイプが高速鉄道専用ネットワークによってサービスされるセルであることを決定するように構成される第３決定サブモジュール２２１と、
前記システムメッセージに第２情報ユニットが含まれ、且つ前記第２情報ユニットのコンテンツが第２情報であり、前記第２情報が、セルタイプが一般的な公衆ＬＴＥネットワークのセルであることを表す場合、前記第１セルのセルタイプが一般的な公衆ＬＴＥネットワークのセルであることを決定するように構成される第４決定サブモジュール２２２とを含み得る。
【０１４４】
前記実施例からわかるように、第２情報ユニットのコンテンツが第１情報である場合、セルタイプが高速鉄道専用ネットワークによってサービスされるセルであることを表すことができ、および第２情報ユニットのコンテンツが第２情報である場合、セルタイプが一般的な公衆ＬＴＥネットワークのセルであることを表すことができ、システムメッセージに第２情報ユニットが含まれ、且つ第２情報ユニットのコンテンツが第１情報であり、第１情報が、セルタイプが高速鉄道専用ネットワークによってサービスされるセルであることを表す場合、第１セルのセルタイプが高速鉄道専用ネットワークによってサービスされるセルであることを決定し、システムメッセージに第２情報ユニットが含まれ、且つ第２情報ユニットのコンテンツが第２情報であり、第２情報セルタイプが一般的な公衆ＬＴＥネットワークのセルであることを表すように構成される場合、第１セルのセルタイプが一般的な公衆ＬＴＥネットワークのセルであることを決定し、それにより、セルタイプ指示の信頼性を向上させ、セルタイプを決定する効率も向上させる。
【０１４５】
一実施例において、図２０に示された装置を確立した基で、図２３に示されたように、前記決定モジュール２０２は、
前記システムメッセージに第１ＴＡＣが含まれ、前記第１ＴＡＣが、セルタイプが高速鉄道専用ネットワークによってサービスされるセルであることを表す場合、前記第１セルのセルタイプが高速鉄道専用ネットワークによってサービスされるセルであることを決定するように構成される第５決定サブモジュール２３１と、
前記システムメッセージに前記第１ＴＡＣが含まれない場合、前記第１セルのセルタイプが一般的な公衆ＬＴＥネットワークのセルであることを決定するように構成される第６決定サブモジュール２３２とを含み得る。
【０１４６】
前記実施例からわかるように、第１ＴＡＣは、セルタイプが高速鉄道専用ネットワークによってサービスされるセルであることを表すことができ、システムメッセージに第１ＴＡＣが含まれ、第１ＴＡＣが、セルタイプが高速鉄道専用ネットワークによってサービスされるセルであることを表す場合、第１セルのセルタイプが高速鉄道専用ネットワークによってサービスされるセルであることを決定し、システムメッセージに第１ＴＡＣが含まれない場合、第１セルのセルタイプが一般的な公衆ＬＴＥネットワークのセルであることを決定し、それにより、セルタイプ指示の信頼性を向上させ、セルタイプを決定する効率も向上させる。
【０１４７】
一実施例において、図２０に示された装置を確立した基で、図２４に示されたように、前記決定モジュール２０２は、
前記システムメッセージに第３情報ユニットが含まれ、且つ前記第３情報ユニットのコンテンツが第２ＴＡＣであり、前記第２ＴＡＣは、セルタイプが高速鉄道専用ネットワークによってサービスされるセルであることを表す場合、前記第１セルのセルタイプが高速鉄道専用ネットワークによってサービスされるセルであることを決定するように構成される第７決定サブモジュール２４１と、
前記システムメッセージに第３情報ユニットが含まれ、且つ前記第３情報ユニットのコンテンツが前記第２ＴＡＣではなく、前記第３情報ユニットのコンテンツが前記第２ＴＡＣではないと、セルタイプが一般的な公衆ＬＴＥネットワークのセルであることを表す場合、前記第１セルのセルタイプが一般的な公衆ＬＴＥネットワークのセルであることを決定するように構成される第８決定サブモジュール２４２とを含み得る。
【０１４８】
前記実施例からわかるように、第２ＴＡＣは、セルタイプが高速鉄道専用ネットワークによってサービスされるセルであることを表し、システムメッセージに第３情報ユニットが含まれ、且つ第３情報ユニットのコンテンツが第２ＴＡＣであり、第２ＴＡＣが、セルタイプが高速鉄道専用ネットワークによってサービスされるセルであることを表す場合、第１セルのセルタイプが高速鉄道専用ネットワークによってサービスされるセルであることを決定し、システムメッセージに第３情報ユニットが含まれ、且つ第３情報ユニットのコンテンツが第２ＴＡＣではなく、第３情報ユニットのコンテンツが第２ＴＡＣではないと、セルタイプが一般的な公衆ＬＴＥネットワークのセルであることを表すように構成される場合、第１セルのセルタイプが一般的な公衆ＬＴＥネットワークのセルであることを決定し、それにより、セルタイプ指示の信頼性を向上させ、セルタイプを決定する効率も向上させる。
【０１４９】
一実施例において、図２０に示された装置を確立した基で、前記システム情報は、具体的に、ＳＩＢ１である。
【０１５０】
一実施例において、図２０に示された装置を確立した基で、図２５に示されたように、前記アクセスモジュール２０３は、
前記第１セルのセルタイプが高速鉄道専用ネットワークによってサービスされるセルであることを決定し、且つ端末の移動速度が第１速度閾値より高い場合、前記第１セルにアクセスする必要があると決定し、前記第１セルへのアクセスを開始するように構成される第１アクセスサブモジュール２５１と、
前記第１セルのセルタイプが一般的な公衆ＬＴＥネットワークのセルであることを決定し、且つ端末の移動速度が第２速度閾値より低く、前記第２速度閾値が前記第１速度閾値より小さいか等しい場合、前記第１セルにアクセスする必要があると決定し、前記第１セルへのアクセスを開始するように構成される第２アクセスサブモジュール２５２とを含み得る。
【０１５１】
前記実施例からわかるように、第１セルのセルタイプが高速鉄道専用ネットワークによってサービスされるセルであることを決定し、且つ端末の移動速度が第１速度閾値より高い場合、第１セルにアクセスする必要があると決定し、第１セルへのアクセスを開始し、第１セルのセルタイプが一般的な公衆ＬＴＥネットワークのセルであることを決定し、且つ端末の移動速度が第２速度閾値より低く、第２速度閾値が第１速度閾値より小さいか等しい場合、第１セルにアクセスする必要があると決定し、第１セルへのアクセスを開始し、それにより、セルタイプに従って適切なセルを選択してアクセスすることを実現し、セルアクセスの効率を向上させる。
【０１５２】
装置の実施例において、それらは基本的に方法の実施例に対応するので、関連する部分は方法の実施例の説明の部分を参照することができる。上記で説明された装置の実施例は例示的なものに過ぎず、ここで、前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際の必要に応じて、その中の一部または全部モジュールを選択して本開示の技術案の目的を実現することができる。当業者は、創造的な努力なしに、理解して実施することができる。
【０１５３】
本開示は、コンピュータプログラムを記憶した非一時的なコンピュータ読み取り可能な記憶媒体をさらに提供し、前記コンピュータプログラムは、上記の図１ないし図６のいずれか１つに記載のセルタイプ指示方法を実行するために使用される。
【０１５４】
本開示は、コンピュータプログラムを記憶した非一時的なコンピュータ読み取り可能な記憶媒体をさらに提供し、前記コンピュータプログラムは、上記の図７ないし図１２のいずれか１つに記載のセルタイプ指示方法を実行するために使用される。
【０１５５】
本開示は、セルタイプ指示装置をさらに提供し、前記装置は、第１セルを管理する基地局に使用され、前記装置は、
プロセッサと、
プロセッサ実行可能命令を記憶するように構成されるメモリとを含み、
前記プロセッサは、
前記第１セルのセルタイプを決定し、前記第１セルのセルタイプは、高速鉄道専用ネットワークによってサービスされるセル、または一般的な公衆ＬＴＥネットワークのセルを含み、
前記第１セルのセルタイプを指示するシステムメッセージを決定し、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始するように構成される。
【０１５６】
図２６に示されたように、図２６は、一例示的な実施例によって示されたセルタイプ指示装置の例示的な構造図である。装置２６００は、基地局として提供されてもよい。図２６を参照すると、装置２６００は、処理コンポーネント２６２２、無線送信／受信コンポーネント２６２４、アンテナコンポーネント２６２６、および無線インターフェースに固有の信号処理部を含み、処理コンポーネント２６２２は、１つまたは複数のプロセッサをさらに含み得る。
【０１５７】
処理コンポーネント２６２２のうちの１つのプロセッサは、前記いずれかに記載のセルタイプ指示方法を実行するために使用されるように構成される。
【０１５８】
本開示は、セルタイプ指示装置をさらに提供し、前記装置は端末に使用され、前記装置は、
プロセッサと、
プロセッサ実行可能命令を記憶するように構成されるメモリとを含み、
前記プロセッサは、
基地局によって送信された、第１セルのセルタイプを指示するシステムメッセージを受信し、
前記システムメッセージに従って、前記第１セルのセルタイプを決定し、前記第１セルのセルタイプは、高速鉄道専用ネットワークによってサービスされるセル、または一般的な公衆ＬＴＥネットワークのセルを含み、
前記第１セルのセルタイプに従って前記第１セルにアクセスする必要があると決定した場合、前記第１セルへのアクセスを開始するように構成される。
【０１５９】
図２７は、一例示的な実施例によって示されたセルタイプ指示装置の例示的な構造図である。図２７に示されたように、一例示的な実施例によって示されたセルタイプ指示装置２７００であり、前記装置２７００はコンピュータ、携帯電話、デジタル放送端末、メッセージングデバイス、ゲームコンソール、タブレットデバイス、医療機器、フィットネス機器、携帯情報端末などの端末であってもよい。
【０１６０】
図２７を参照すると、装置２７００は、処理コンポーネント２７０１、メモリ２７０２、電力コンポーネント２７０３、マルチメディアコンポーネント２７０４、オーディオコンポーネント２７０５、入力／出力（Ｉ／Ｏ）インターフェース２７０６、センサコンポーネント２７０７、及び通信コンポーネント２７０８のうちの１つまたは複数のコンポーネットを含み得る。
【０１６１】
処理コンポーネント２７０１は、一般的に、ディスプレイ、電話の呼び出し、データ通信、カメラ操作及び記録操作に関する操作のような装置２７００の全般的な操作を制御する。処理コンポーネント２７０１は、前記方法のステップの全てまたは一部を完了するために、１つまたは複数のプロセッサ２７０９を含んで命令を実行することができる。加えて、処理コンポーネント２７０１は、処理コンポーネント２７０１および他のコンポーネントの間の相互作用を容易にするために、１つまたは複数のモジュールを含むことができる。例えば、処理コンポーネント２７０１は、マルチメディアコンポーネント２７０１と処理コンポーネント２７０１との間の相互作用を容易にするために、マルチメディアモジュールを含むことができる。
【０１６２】
メモリ２７０２は、装置２７００での操作をサポートするために、様々なタイプのデータを格納するように構成される。これらのデータの例には、装置２７００で動作する任意のアプリケーションまたは方法の命令、連絡先データ、電話帳データ、メッセージ、写真、ビデオ等が含まれる。メモリ２７０２は、スタティックランダムアクセスメモリ（ＳＲＡＭ）、電気的に消去可能なプログラム可能な読み取り専用メモリ（ＥＥＰＲＯＭ）、消去可能なプログラム可能な読み取り専用メモリ（ＥＰＲＯＭ）、プログラム可能な読み取り専用メモリ（ＰＲＯＭ）、磁気メモリ、フラッシュメモリ、磁気ディスクまたは光ディスクなど、あらゆるタイプの揮発性または不揮発性ストレージデバイスまたはそれらの組み合わせによって実現されることができる。
【０１６３】
電力コンポーネント２７０３は、装置２７００の様々なコンポーネントに電力を提供する。電源コンポーネント２７０３は、電力管理システム、１つまたは複数の電源、及び装置２７００の電力の生成、管理および分配に関する他のコンポーネントを含むことができる。
【０１６４】
マルチメディアコンポーネント２７０４は、前記バッテリの充電装置２７００とユーザとの間の、出力インターフェースを提供するスクリーンを含む。いくつかの実施形態において、スクリーンは、液晶ディスプレイ（ＬＣＤ）及びタッチパネル（ＴＰ）を含み得る。スクリーンがタッチパネルを含む場合、スクリーンは、ユーザからの入力信号を受信するためのタッチスクリーンとして実装されることができる。タッチパネルは、タッチ、スワイプ及びタッチパネルでのジェスチャーを検知するための１つまたは複数のタッチセンサを含む。前記タッチセンサは、タッチまたはスワイプの操作の境界を感知するだけでなく、前記タッチまたはスワイプ動作に関連する持続時間及び圧力も検出することができる。いくつかの実施例において、マルチメディアコンポーネント２７０４は、一つのフロントカメラ及び／またはリアカメラを含む。当装置２７００が、撮影モードまたはビデオモードなどの動作モードにあるとき、フロントカメラおよび／またはリアカメラは、外部マルチメディアデータを受信することができる。各フロントカメラ及びリアカメラは、固定光学レンズシステムであり、または焦点距離と光学ズーム機能を持つことができる。
【０１６５】
オーディオコンポーネント２７０５は、オーディオ信号を出力および／または入力するように構成される。例えば、オーディオコンポーネント２７０５は、１つのマイクロフォン（ＭＩＣ）を含み、装置２７００が通話モード、録音モード及び音声認識モードなどの動作モードにあるとき、マイクロフォンは、外部オーディオ信号を受信するように構成される。受信されたオーディオ信号は、メモリ２７０２にさらに格納されてもよく、または通信コンポーネント２７０８を介して送信されてもよい。いくつかの実施例において、オーディオコンポーネント２７０５は、オーディオ信号を出力するためのスピーカをさらに含む。
【０１６６】
Ｉ／Ｏ接口２７０６は、処理コンポーネント２７０１と周辺インターフェースモジュールとの間にインターフェースを提供し、前記周辺インターフェースモジュールは、キーボード、クリックホイール、ボタンなどであってもよい。これらのボタンは、ホームボタン、ボリュームボタン、スタートボタン、ロックボタンを含むが、これらに限定されない。
【０１６７】
センサコンポーネント２７０７は、装置８００に各態様の状態の評価を提供するための１つまたは複数のセンサを含む。例えば、センサコンポーネント２７０７は、機器２７００のオン／オフ状態と、装置２７００のディスプレイやキーパッドなどのコンポーネントの相対的な位置づけを検出することができ、センサコンポーネント２７０７は、装置２７００または装置２７００のコンポーネントの位置の変化、ユーザとの装置２７００の接触の有無、装置２７００の向きまたは加速／減速、及び装置２７００の温度の変化も検出することができる。センサコンポ―ネット２７０７は、物理的接触なしに近くの物体の存在を検出するように構成された近接センサを含むことができる。センサコンポーネント２７０７は、撮像用途で使用するためのＣＭＯＳまたはＣＣＤ画像センサなどの光センサも含むことができる。いくつかの実施例において、前記センサコンポーネント２７０７は、加速度センサ、ジャイロスコープセンサ、磁気センサ、圧力センサまたは温度センサをさらに含むことができる。
【０１６８】
通信コンポーネント２７０８は、装置２７００と他の装置の間の有線または無線通信を容易にするように構成される。装置２７００は、ＷｉＦｉ、２Ｇまたは３Ｇ、またはそれらの組み合わせなどの通信規格に基づく無線ネットワークにアクセスすることができる。一例示的な実施例において、前記通信コンポーネント２７０８は、放送チャンネルを介して外部放送管理システムからの放送信号または放送関連情報を受信する。一例示的な実施例において、前記通信コンポーネント２７０８は、短距離通信を促進するために、近距離通信（ＮＦＣ）モジュールをさらに含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術に基づいて具現することができる。
【０１６９】
例示的な実施例において、装置２７００は、１つまたは複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子によって具現されることができ、前記方法を実行するように構成される。
【０１７０】
例示的な実施例において、命令を含むメモリ２７０２など、命令を含む非一時的なコンピュータ読み取り可能な記憶媒体をさらに提供し、前記命令は、装置２７００のプロセッサ２７０９によって実行されて前記方法を完了することができる。例えば、前記非一時的なコンピュータ読み取り可能な記憶媒体は、ＲＯＭ、ランダムアクセスメモリ（ＲＡＭ）、ＣＤ−ＲＯＭ、磁気テープ、フロッピー（登録商標）ディスクおよび光学データ記憶装置などであってもよい。
【０１７１】
ここで、前記記憶媒体の命令が前記プロセッサによって実行される時に、装置２７００が前記いずれか１つのセルタイプ指示方法を実行することができるようにする。
【０１７２】
当業者は、明細書を考慮して、本明細書にに開示された技術案を実施した後、本開示の他の実施形態を容易に想到し得るであろう。本出願は、本開示のあらゆる変形、応用または適応性変化を網羅することを意図し、これらの変形、応用または適応性変化は、本開示の普通の原理に準拠し、本開示によって開示されない本技術分野における公知知識または従来の技術的手段を含む。明細書と実施例は、例示としてのみ考慮され、本開示の真の範囲及び思想は添付の特許請求の範囲によって示される。
【０１７３】
本開示は、前述に既に説明し、図面に示した正確な構造に限定されるものではなく、その範囲から逸脱することなく様々な修正及び変更を行うことができることを理解されたい。本開示の範囲は、添付の特許請求の範囲によってのみ制限される。
【図１】
2021510983.tif 000003
【図２】
2021510983.tif 000004
【図３】
2021510983.tif 000005
【図４】
2021510983.tif 000006
【図５】
2021510983.tif 000007
【図６】
2021510983.tif 000008
【図７】
2021510983.tif 000009
【図８】
2021510983.tif 000010
【図９】
2021510983.tif 000011
【図１０】
2021510983.tif 000012
【図１１】
2021510983.tif 000013
【図１２】
2021510983.tif 000014
【図１３】
2021510983.tif 000015
【図１４】
2021510983.tif 000016
【図１５】
2021510983.tif 000017
【図１６】
2021510983.tif 000018
【図１７】
2021510983.tif 000019
【図１８】
2021510983.tif 000020
【図１９】
2021510983.tif 000021
【図２０】
2021510983.tif 000022
【図２１】
2021510983.tif 000023
【図２２】
2021510983.tif 000024
【図２３】
2021510983.tif 000025
【図２４】
2021510983.tif 000026
【図２５】
2021510983.tif 000027
【図２６】
2021510983.tif 000028
【図２７】
2021510983.tif 000029
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
セルタイプ指示方法であって、
第１セルを管理する基地局に使用され、前記方法は、
前記第１セルのセルタイプを決定することであって、前記第１セルのセルタイプは、高速鉄道専用ネットワークによってサービスされるセル、または一般的な公衆ロングタームエボリューション（ＬＴＥ）ネットワークのセルを含むことと、
前記第１セルのセルタイプを指示するシステムメッセージを決定することと、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始することとを含むことを特徴とする、前記セルタイプ指示方法。
【請求項２】
前記第１セルのセルタイプを指示するシステムメッセージを決定することは、
第１情報ユニットを生成することであって、前記第１情報ユニットは、セルタイプが高速鉄道専用ネットワークによってサービスされるセルであることを表すように構成されることと、
前記第１セルのセルタイプが高速鉄道専用ネットワークによってサービスされるセルである場合、第１情報ユニットをシステムメッセージに追加することと、
前記第１セルのセルタイプが一般的な公衆ＬＴＥネットワークのセルである場合、第１情報ユニットをシステムメッセージに追加しないこととを含むことを特徴とする、
請求項１に記載のセルタイプ指示方法。
【請求項３】
前記第１セルのセルタイプを指示するシステムメッセージを決定することは、
第２情報ユニットを生成することであって、前記第２情報ユニットのコンテンツが第１情報である場合、セルタイプが高速鉄道専用ネットワークによってサービスされるセルであることを表し、前記第２情報ユニットのコンテンツが第２情報である場合、セルタイプが一般的な公衆ＬＴＥネットワークのセルであることを表すように構成されることと、
前記第１セルのセルタイプが高速鉄道専用ネットワークによってサービスされるセルである場合、第２情報ユニットのコンテンツを前記第１情報として設定し、前記第１情報を設定した後の第２情報ユニットをシステムメッセージに追加することと、
前記第１セルのセルタイプが一般的な公衆ＬＴＥネットワークのセルである場合、第２情報ユニットのコンテンツを前記第２情報として設定し、前記第２情報を設定した後の第２情報ユニットをシステムメッセージに追加することとを含むことを特徴とする、
請求項１に記載のセルタイプ指示方法。
【請求項４】
前記第１セルのセルタイプを指示するシステムメッセージを決定することは、
第１トラッキングエリアコード（ＴＡＣ）を設定することであって、前記第１ＴＡＣは、セルタイプが高速鉄道専用ネットワークによってサービスされるセルであることを表すことと、
前記第１セルのセルタイプが高速鉄道専用ネットワークによってサービスされるセルである場合、前記第１ＴＡＣをシステムメッセージに追加することと、
前記第１セルのセルタイプが一般的な公衆ＬＴＥネットワークのセルである場合、前記第１ＴＡＣをシステムメッセージに追加しないこととを含むを特徴とする、
請求項１に記載のセルタイプ指示方法。
【請求項５】
前記第１セルのセルタイプを指示するシステムメッセージを決定することは、
第２ＴＡＣを設定することであって、前記第２ＴＡＣは、セルタイプが高速鉄道専用ネットワークによってサービスされるセルであることを表すことと、
第３情報ユニットを生成することであって、前記第３情報ユニットのコンテンツが前記第２ＴＡＣである場合、セルタイプが高速鉄道専用ネットワークによってサービスされるセルであることを表し、前記第３情報ユニットのコンテンツが前記第２ＴＡＣではないと、セルタイプが一般的な公衆ＬＴＥネットワークのセルであることを表すように構成されることと、
前記第１セルのセルタイプが高速鉄道専用ネットワークによってサービスされるセルである場合、前記第３情報ユニットのコンテンツを前記第２ＴＡＣとして設定し、前記第２ＴＡＣを設定した後の第３情報ユニットをシステムメッセージに追加することと、
前記第１セルのセルタイプが一般的な公衆ＬＴＥネットワークのセルである場合、第３情報ユニットのコンテンツを前記第２ＴＡＣ以外の他の情報として設定し、前記他の情報を設定した後の第３情報ユニットをシステムメッセージに追加することとを含むことを特徴とする、
請求項１に記載のセルタイプ指示方法。
【請求項６】
前記システム情報は、具体的に、システム情報ブロック（ＳＩＢ１）であることを特徴とする、
請求項１ないし５のいずれか一項に記載のセルタイプ指示方法。
【請求項７】
セルタイプ指示方法であって、
端末に使用され、前記方法は、
基地局によって送信された、第１セルのセルタイプを指示するシステムメッセージを受信することと、
前記システムメッセージに従って、前記第１セルのセルタイプを決定することであって、前記第１セルのセルタイプは、高速鉄道専用ネットワークによってサービスされるセル、または一般的な公衆ＬＴＥネットワークのセルを含むことと、
前記第１セルのセルタイプに従って前記第１セルにアクセスする必要があると決定した場合、前記第１セルへのアクセスを開始することとを含むことを特徴とする、前記セルタイプ指示方法。
【請求項８】
前記システムメッセージに従って、前記第１セルのセルタイプを決定することは、
前記システムメッセージに第１情報ユニットが含まれ、前記第１情報ユニットが、セルタイプが高速鉄道専用ネットワークによってサービスされるセルであることを表すように構成される場合、前記第１セルのセルタイプが高速鉄道専用ネットワークによってサービスされるセルであることを決定することと、
前記システムメッセージに前記第１情報ユニットが含まれない場合、前記第１セルのセルタイプが一般的な公衆ＬＴＥネットワークのセルであることを決定することとを含むことを特徴とする、
請求項７に記載のセルタイプ指示方法。
【請求項９】
前記システムメッセージに従って、前記第１セルのセルタイプを決定することは、
前記システムメッセージに第２情報ユニットが含まれ、且つ前記第２情報ユニットのコンテンツが第１情報であり、前記第１情報が、セルタイプが高速鉄道専用ネットワークによってサービスされるセルであることを表す場合、前記第１セルのセルタイプが高速鉄道専用ネットワークによってサービスされるセルであることを決定することと、
前記システムメッセージに第２情報ユニットが含まれ、且つ前記第２情報ユニットのコンテンツが第２情報であり、前記第２情報が、セルタイプが一般的な公衆ＬＴＥネットワークのセルであることを表す場合、前記第１セルのセルタイプが一般的な公衆ＬＴＥネットワークのセルであることを決定することとを含むことを特徴とする、
請求項７に記載のセルタイプ指示方法。
【請求項１０】
前記システムメッセージに従って、前記第１セルのセルタイプを決定することは、
前記システムメッセージに第１ＴＡＣが含まれ、前記第１ＴＡＣが、セルタイプが高速鉄道専用ネットワークによってサービスされるセルであることを表す場合、前記第１セルのセルタイプが高速鉄道専用ネットワークによってサービスされるセルであることを決定することと、
前記システムメッセージに前記第１ＴＡＣが含まれない場合、前記第１セルのセルタイプが一般的な公衆ＬＴＥネットワークのセルであることを決定することとを含むことを特徴とする、
請求項７に記載のセルタイプ指示方法。
【請求項１１】
前記システムメッセージに従って、前記第１セルのセルタイプを決定することは、
前記システムメッセージに第３情報ユニットが含まれ、且つ前記第３情報ユニットのコンテンツが第２ＴＡＣであり、前記第２ＴＡＣが、セルタイプが高速鉄道専用ネットワークによってサービスされるセルであることを表す場合、前記第１セルのセルタイプが高速鉄道専用ネットワークによってサービスされるセルであることを決定することと、
前記システムメッセージに第３情報ユニットが含まれ、且つ前記第３情報ユニットのコンテンツが前記第２ＴＡＣではなく、前記第３情報ユニットのコンテンツが前記第２ＴＡＣではないと、セルタイプが一般的な公衆ＬＴＥネットワークのセルであることを表す場合、前記第１セルのセルタイプが一般的な公衆ＬＴＥネットワークのセルであることを決定することとを含むことを特徴とする、
請求項７に記載のセルタイプ指示方法。
【請求項１２】
前記システム情報は、具体的に、システム情報ブロック（ＳＩＢ１）であることを特徴とする、
請求項７ないし１１のいずれか一項に記載のセルタイプ指示方法。
【請求項１３】
前記第１セルのセルタイプに従って前記第１セルにアクセスする必要があると決定した場合、前記第１セルへのアクセスを開始することは、
前記第１セルのセルタイプが高速鉄道専用ネットワークによってサービスされるセルであることを決定し、且つ端末の移動速度が第１速度閾値より高い場合、前記第１セルにアクセスする必要があると決定し、前記第１セルへのアクセスを開始することと、
前記第１セルのセルタイプが一般的な公衆ＬＴＥネットワークのセルであることを決定し、且つ端末の移動速度が第２速度閾値より低く、前記第２速度閾値が前記第１速度閾値より小さいか等しい場合、前記第１セルにアクセスする必要があると決定し、前記第１セルへのアクセスを開始することとを含むことを特徴とする、
請求項７に記載のセルタイプ指示方法。
【請求項１４】
セルタイプ指示装置であって、
第１セルを管理する基地局に使用され、前記装置は、
前記第１セルのセルタイプを決定するように構成される第１決定モジュールであって、前記第１セルのセルタイプは、高速鉄道専用ネットワークによってサービスされるセル、または一般的な公衆ロングタームエボリューション（ＬＴＥ）ネットワークのセルを含む第１決定モジュールと、
前記第１セルのセルタイプを指示するシステムメッセージを決定するように構成される第２決定モジュールと、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始するように構成される送信モジュールとを含むことを特徴とする、前記セルタイプ指示装置。
【請求項１５】
セルタイプ指示装置であって、
端末に使用され、前記装置は、
基地局によって送信された、第１セルのセルタイプを指示するシステムメッセージを受信するように構成される受信モジュールと、
前記システムメッセージに従って、前記第１セルのセルタイプを決定するように構成される決定モジュールであって、前記第１セルのセルタイプは、高速鉄道専用ネットワークによってサービスされるセル、または一般的な公衆ＬＴＥネットワークのセルを含む決定モジュールと、
前記システムメッセージに従って、前記第１セルのセルタイプを決定するように構成される決定モジュールであって、前記第１セルのセルタイプは、高速鉄道専用ネットワークによってサービスされるセル、または一般的な公衆ＬＴＥネットワークのセルを含む決定モジュールとを含むことを特徴とする、前記セルタイプ指示装置。
【請求項１６】
コンピュータプログラムを記憶した非一時的なコンピュータ読み取り可能な記憶媒体であって、
前記コンピュータプログラムは、請求項１ないし６のいずれか一項に記載のセルタイプ指示方法を実行するために使用されることを特徴とする、前記非一時的なコンピュータ読み取り可能な記憶媒体。
【請求項１７】
コンピュータプログラムを記憶した非一時的なコンピュータ読み取り可能な記憶媒体であって、
前記コンピュータプログラムは、請求項７ないし１３のいずれか一項に記載のセルタイプ指示方法を実行するために使用されることを特徴とする、前記非一時的なコンピュータ読み取り可能な記憶媒体。
【請求項１８】
セルタイプ指示装置であって、
第１セルを管理する基地局に使用され、前記装置は、
プロセッサと、
プロセッサ実行可能命令を記憶するように構成されるメモリとを含み、
前記プロセッサは、
前記第１セルのセルタイプを決定し、前記第１セルのセルタイプは、高速鉄道専用ネットワークによってサービスされるセル、または一般的な公衆ロングタームエボリューション（ＬＴＥ）ネットワークのセルを含み、
前記第１セルのセルタイプを指示するシステムメッセージを決定し、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始するように構成されることを特徴とする、前記セルタイプ指示装置。
【請求項１９】
セルタイプ指示装置であって、
端末に使用され、前記装置は、
プロセッサと、
プロセッサ実行可能命令を記憶するように構成されるメモリとを含み、
前記プロセッサは、
基地局によって送信された、第１セルのセルタイプを指示するシステムメッセージを受信し、
前記システムメッセージに従って、前記第１セルのセルタイプを決定し、前記第１セルのセルタイプは、高速鉄道専用ネットワークによってサービスされるセル、または一般的な公衆ＬＴＥネットワークのセルを含み、
前記第１セルのセルタイプに従って前記第１セルにアクセスする必要があると決定した場合、前記第１セルへのアクセスを開始するように構成されることを特徴とする、前記セルタイプ指示装置。
【手続補正２】
【補正対象書類名】明細書
【補正対象項目名】００３３
【補正方法】変更
【補正の内容】
【００３３】
本開示の実施例の第８態様によれば、セルタイプ指示装置を提供し、前記装置は端末に使用され、前記装置は、
プロセッサと、
プロセッサ実行可能命令を記憶するように構成されるメモリとを含み、
前記プロセッサは、
基地局によって送信された、第１セルのセルタイプを指示するシステムメッセージを受信し、
前記システムメッセージに従って、前記第１セルのセルタイプを決定し、前記第１セルのセルタイプは、高速鉄道専用ネットワークによってサービスされるセル、または一般的な公衆ＬＴＥネットワークのセルを含み、
前記第１セルのセルタイプに従って前記第１セルにアクセスする必要があると決定した場合、前記第１セルへのアクセスを開始するように構成される。
例えば、本願は以下の項目を提供する。
（項目１）
セルタイプ指示方法であって、
第１セルを管理する基地局に使用され、前記方法は、
前記第１セルのセルタイプを決定することであって、前記第１セルのセルタイプは、高速鉄道専用ネットワークによってサービスされるセル、または一般的な公衆ロングタームエボリューション（ＬＴＥ）ネットワークのセルを含むことと、
前記第１セルのセルタイプを指示するシステムメッセージを決定することと、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始することとを含むことを特徴とする、前記セルタイプ指示方法。
（項目２）
前記第１セルのセルタイプを指示するシステムメッセージを決定することは、
第１情報ユニットを生成することであって、前記第１情報ユニットは、セルタイプが高速鉄道専用ネットワークによってサービスされるセルであることを表すように構成されることと、
前記第１セルのセルタイプが高速鉄道専用ネットワークによってサービスされるセルである場合、第１情報ユニットをシステムメッセージに追加することと、
前記第１セルのセルタイプが一般的な公衆ＬＴＥネットワークのセルである場合、第１情報ユニットをシステムメッセージに追加しないこととを含むことを特徴とする、
項目１に記載のセルタイプ指示方法。
（項目３）
前記第１セルのセルタイプを指示するシステムメッセージを決定することは、
第２情報ユニットを生成することであって、前記第２情報ユニットのコンテンツが第１情報である場合、セルタイプが高速鉄道専用ネットワークによってサービスされるセルであることを表し、前記第２情報ユニットのコンテンツが第２情報である場合、セルタイプが一般的な公衆ＬＴＥネットワークのセルであることを表すように構成されることと、
前記第１セルのセルタイプが高速鉄道専用ネットワークによってサービスされるセルである場合、第２情報ユニットのコンテンツを前記第１情報として設定し、前記第１情報を設定した後の第２情報ユニットをシステムメッセージに追加することと、
前記第１セルのセルタイプが一般的な公衆ＬＴＥネットワークのセルである場合、第２情報ユニットのコンテンツを前記第２情報として設定し、前記第２情報を設定した後の第２情報ユニットをシステムメッセージに追加することとを含むことを特徴とする、
項目１に記載のセルタイプ指示方法。
（項目４）
前記第１セルのセルタイプを指示するシステムメッセージを決定することは、
第１トラッキングエリアコード（ＴＡＣ）を設定することであって、前記第１ＴＡＣは、セルタイプが高速鉄道専用ネットワークによってサービスされるセルであることを表すことと、
前記第１セルのセルタイプが高速鉄道専用ネットワークによってサービスされるセルである場合、前記第１ＴＡＣをシステムメッセージに追加することと、
前記第１セルのセルタイプが一般的な公衆ＬＴＥネットワークのセルである場合、前記第１ＴＡＣをシステムメッセージに追加しないこととを含むを特徴とする、
項目１に記載のセルタイプ指示方法。
（項目５）
前記第１セルのセルタイプを指示するシステムメッセージを決定することは、
第２ＴＡＣを設定することであって、前記第２ＴＡＣは、セルタイプが高速鉄道専用ネットワークによってサービスされるセルであることを表すことと、
第３情報ユニットを生成することであって、前記第３情報ユニットのコンテンツが前記第２ＴＡＣである場合、セルタイプが高速鉄道専用ネットワークによってサービスされるセルであることを表し、前記第３情報ユニットのコンテンツが前記第２ＴＡＣではないと、セルタイプが一般的な公衆ＬＴＥネットワークのセルであることを表すように構成されることと、
前記第１セルのセルタイプが高速鉄道専用ネットワークによってサービスされるセルである場合、前記第３情報ユニットのコンテンツを前記第２ＴＡＣとして設定し、前記第２ＴＡＣを設定した後の第３情報ユニットをシステムメッセージに追加することと、
前記第１セルのセルタイプが一般的な公衆ＬＴＥネットワークのセルである場合、第３情報ユニットのコンテンツを前記第２ＴＡＣ以外の他の情報として設定し、前記他の情報を設定した後の第３情報ユニットをシステムメッセージに追加することとを含むことを特徴とする、
項目１に記載のセルタイプ指示方法。
（項目６）
前記システム情報は、具体的に、システム情報ブロック（ＳＩＢ１）であることを特徴とする、
項目１ないし５のいずれか一項に記載のセルタイプ指示方法。
（項目７）
セルタイプ指示方法であって、
端末に使用され、前記方法は、
基地局によって送信された、第１セルのセルタイプを指示するシステムメッセージを受信することと、
前記システムメッセージに従って、前記第１セルのセルタイプを決定することであって、前記第１セルのセルタイプは、高速鉄道専用ネットワークによってサービスされるセル、または一般的な公衆ＬＴＥネットワークのセルを含むことと、
前記第１セルのセルタイプに従って前記第１セルにアクセスする必要があると決定した場合、前記第１セルへのアクセスを開始することとを含むことを特徴とする、前記セルタイプ指示方法。
（項目８）
前記システムメッセージに従って、前記第１セルのセルタイプを決定することは、
前記システムメッセージに第１情報ユニットが含まれ、前記第１情報ユニットが、セルタイプが高速鉄道専用ネットワークによってサービスされるセルであることを表すように構成される場合、前記第１セルのセルタイプが高速鉄道専用ネットワークによってサービスされるセルであることを決定することと、
前記システムメッセージに前記第１情報ユニットが含まれない場合、前記第１セルのセルタイプが一般的な公衆ＬＴＥネットワークのセルであることを決定することとを含むことを特徴とする、
項目７に記載のセルタイプ指示方法。
（項目９）
前記システムメッセージに従って、前記第１セルのセルタイプを決定することは、
前記システムメッセージに第２情報ユニットが含まれ、且つ前記第２情報ユニットのコンテンツが第１情報であり、前記第１情報が、セルタイプが高速鉄道専用ネットワークによってサービスされるセルであることを表す場合、前記第１セルのセルタイプが高速鉄道専用ネットワークによってサービスされるセルであることを決定することと、
前記システムメッセージに第２情報ユニットが含まれ、且つ前記第２情報ユニットのコンテンツが第２情報であり、前記第２情報が、セルタイプが一般的な公衆ＬＴＥネットワークのセルであることを表す場合、前記第１セルのセルタイプが一般的な公衆ＬＴＥネットワークのセルであることを決定することとを含むことを特徴とする、
項目７に記載のセルタイプ指示方法。
（項目１０）
前記システムメッセージに従って、前記第１セルのセルタイプを決定することは、
前記システムメッセージに第１ＴＡＣが含まれ、前記第１ＴＡＣが、セルタイプが高速鉄道専用ネットワークによってサービスされるセルであることを表す場合、前記第１セルのセルタイプが高速鉄道専用ネットワークによってサービスされるセルであることを決定することと、
前記システムメッセージに前記第１ＴＡＣが含まれない場合、前記第１セルのセルタイプが一般的な公衆ＬＴＥネットワークのセルであることを決定することとを含むことを特徴とする、
項目７に記載のセルタイプ指示方法。
（項目１１）
前記システムメッセージに従って、前記第１セルのセルタイプを決定することは、
前記システムメッセージに第３情報ユニットが含まれ、且つ前記第３情報ユニットのコンテンツが第２ＴＡＣであり、前記第２ＴＡＣが、セルタイプが高速鉄道専用ネットワークによってサービスされるセルであることを表す場合、前記第１セルのセルタイプが高速鉄道専用ネットワークによってサービスされるセルであることを決定することと、
前記システムメッセージに第３情報ユニットが含まれ、且つ前記第３情報ユニットのコンテンツが前記第２ＴＡＣではなく、前記第３情報ユニットのコンテンツが前記第２ＴＡＣではないと、セルタイプが一般的な公衆ＬＴＥネットワークのセルであることを表す場合、前記第１セルのセルタイプが一般的な公衆ＬＴＥネットワークのセルであることを決定することとを含むことを特徴とする、
項目７に記載のセルタイプ指示方法。
（項目１２）
前記システム情報は、具体的に、システム情報ブロック（ＳＩＢ１）であることを特徴とする、
項目７ないし１１のいずれか一項に記載のセルタイプ指示方法。
（項目１３）
前記第１セルのセルタイプに従って前記第１セルにアクセスする必要があると決定した場合、前記第１セルへのアクセスを開始することは、
前記第１セルのセルタイプが高速鉄道専用ネットワークによってサービスされるセルであることを決定し、且つ端末の移動速度が第１速度閾値より高い場合、前記第１セルにアクセスする必要があると決定し、前記第１セルへのアクセスを開始することと、
前記第１セルのセルタイプが一般的な公衆ＬＴＥネットワークのセルであることを決定し、且つ端末の移動速度が第２速度閾値より低く、前記第２速度閾値が前記第１速度閾値より小さいか等しい場合、前記第１セルにアクセスする必要があると決定し、前記第１セルへのアクセスを開始することとを含むことを特徴とする、
項目７に記載のセルタイプ指示方法。
（項目１４）
セルタイプ指示装置であって、
第１セルを管理する基地局に使用され、前記装置は、
前記第１セルのセルタイプを決定するように構成される第１決定モジュールであって、前記第１セルのセルタイプは、高速鉄道専用ネットワークによってサービスされるセル、または一般的な公衆ロングタームエボリューション（ＬＴＥ）ネットワークのセルを含む第１決定モジュールと、
前記第１セルのセルタイプを指示するシステムメッセージを決定するように構成される第２決定モジュールと、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始するように構成される送信モジュールとを含むことを特徴とする、前記セルタイプ指示装置。
（項目１５）
前記第２決定モジュールは、
第１情報ユニットを生成するように構成される第１生成サブモジュールであって、前記第１情報ユニットは、セルタイプが高速鉄道専用ネットワークによってサービスされるセルであることを表すように構成される第１生成サブモジュールと、
前記第１セルのセルタイプが高速鉄道専用ネットワークによってサービスされるセルである場合、第１情報ユニットをシステムメッセージに追加するように構成される第１処理サブモジュールと、
前記第１セルのセルタイプが一般的な公衆ＬＴＥネットワークのセルである場合、第１情報ユニットをシステムメッセージに追加しないように構成される第２処理サブモジュールとを含むことを特徴とする、
項目１４に記載のセルタイプ指示装置。
（項目１６）
前記第２決定モジュールは、
第２情報ユニットを生成するように構成される第２生成サブモジュールであって、前記第２情報ユニットのコンテンツが第１情報である場合、セルタイプが高速鉄道専用ネットワークによってサービスされるセルであることを表し、前記第２情報ユニットのコンテンツが第２情報である場合、セルタイプが一般的な公衆ＬＴＥネットワークのセルであることを表すように構成される第２生成サブモジュールと、
前記第１セルのセルタイプが高速鉄道専用ネットワークによってサービスされるセルである場合、第２情報ユニットのコンテンツを前記第１情報として設定し、前記第１情報を設定した後の第２情報ユニットをシステムメッセージに追加するように構成される第３処理サブモジュールと、
前記第１セルのセルタイプが一般的な公衆ＬＴＥネットワークのセルである場合、第２情報ユニットのコンテンツを前記第２情報として設定し、前記第２情報を設定した後の第２情報ユニットをシステムメッセージに追加するように構成される第４処理サブモジュールとを含むことを特徴とする、
項目１４に記載のセルタイプ指示装置。
（項目１７）
前記第２決定モジュールは、
第１トラッキングエリアコード（ＴＡＣ）を設定するように構成される第１設定サブモジュールであって、前記第１ＴＡＣは、セルタイプが高速鉄道専用ネットワークによってサービスされるセルであることを表す第１設定サブモジュールと、
前記第１セルのセルタイプが高速鉄道専用ネットワークによってサービスされるセルである場合、前記第１ＴＡＣをシステムメッセージに追加するように構成される第５処理サブモジュールと、
前記第１セルのセルタイプが一般的な公衆ＬＴＥネットワークのセルである場合、前記第１ＴＡＣをシステムメッセージに追加しないように構成される第６処理サブモジュールとを含むことを特徴とする、
項目１４に記載のセルタイプ指示装置。
（項目１８）
前記第２決定モジュールは、
第２ＴＡＣを設定するように構成される第２設定サブモジュールであって、前記第２ＴＡＣは、セルタイプが高速鉄道専用ネットワークによってサービスされるセルであることを表す第２設定サブモジュールと、
第３情報ユニットを生成するように構成される第３生成サブモジュールであって、前記第３情報ユニットのコンテンツが前記第２ＴＡＣである場合、セルタイプが高速鉄道専用ネットワークによってサービスされるセルであることを表し、前記第３情報ユニットのコンテンツが前記第２ＴＡＣではない場合、セルタイプが一般的な公衆ＬＴＥネットワークのセルであることを表すように構成される第３生成サブモジュールと、
前記第１セルのセルタイプが高速鉄道専用ネットワークによってサービスされるセルである場合、前記第３情報ユニットのコンテンツを前記第２ＴＡＣとして設定し、前記第２ＴＡＣを設定した後の第３情報ユニットをシステムメッセージに追加するように構成される第７処理サブモジュールと、
前記第１セルのセルタイプが一般的な公衆ＬＴＥネットワークのセルである場合、第３情報ユニットのコンテンツを前記第２ＴＡＣ以外の他の情報として設定し、前記他の情報を設定した後の第３情報ユニットをシステムメッセージに追加するように構成される第８処理サブモジュールとを含むことを特徴とする、
項目１４に記載のセルタイプ指示装置。
（項目１９）
前記システム情報は、具体的に、システム情報ブロック（ＳＩＢ１）であることを特徴とする、
項目１４ないし１８のいずれか一項に記載のセルタイプ指示装置。
（項目２０）
セルタイプ指示装置であって、
端末に使用され、前記装置は、
基地局によって送信された、第１セルのセルタイプを指示するシステムメッセージを受信するように構成される受信モジュールと、
前記システムメッセージに従って、前記第１セルのセルタイプを決定するように構成される決定モジュールであって、前記第１セルのセルタイプは、高速鉄道専用ネットワークによってサービスされるセル、または一般的な公衆ＬＴＥネットワークのセルを含む決定モジュールと、
前記システムメッセージに従って、前記第１セルのセルタイプを決定するように構成される決定モジュールであって、前記第１セルのセルタイプは、高速鉄道専用ネットワークによってサービスされるセル、または一般的な公衆ＬＴＥネットワークのセルを含む決定モジュールとを含むことを特徴とする、前記セルタイプ指示装置。
（項目２１）
前記決定モジュールは、
前記システムメッセージに第１情報ユニットが含まれ、前記第１情報ユニットが、セルタイプが高速鉄道専用ネットワークによってサービスされるセルであることを表すように構成される場合、前記第１セルのセルタイプが高速鉄道専用ネットワークによってサービスされるセルであることを決定するように構成される第１決定サブモジュールと、
前記システムメッセージに前記第１情報ユニットが含まれない場合、前記第１セルのセルタイプが一般的な公衆ＬＴＥネットワークのセルであることを決定するように構成される第２決定サブモジュールとを含むことを特徴とする、
項目２０に記載のセルタイプ指示装置。
（項目２２）
前記決定モジュールは、
前記システムメッセージに第２情報ユニットが含まれ、且つ前記第２情報ユニットのコンテンツが第１情報であり、前記第１情報が、セルタイプが高速鉄道専用ネットワークによってサービスされるセルであることを表す場合、前記第１セルのセルタイプが高速鉄道専用ネットワークによってサービスされるセルであることを決定するように構成される第３決定サブモジュールと、
前記システムメッセージに第２情報ユニットが含まれ、且つ前記第２情報ユニットのコンテンツが第２情報であり、前記第２情報が、セルタイプが一般的な公衆ＬＴＥネットワークのセルであることを表す場合、前記第１セルのセルタイプが一般的な公衆ＬＴＥネットワークのセルであることを決定するように構成される第４決定サブモジュールとを含むことを特徴とする、
項目２０に記載のセルタイプ指示装置。
（項目２３）
前記決定モジュールは、
前記システムメッセージに第１ＴＡＣが含まれ、前記第１ＴＡＣが、セルタイプが高速鉄道専用ネットワークによってサービスされるセルであることを表す場合、前記第１セルのセルタイプが高速鉄道専用ネットワークによってサービスされるセルであることを決定するように構成される第５決定サブモジュールと、
前記システムメッセージに前記第１ＴＡＣが含まれない場合、前記第１セルのセルタイプが一般的な公衆ＬＴＥネットワークのセルであることを決定するように構成される第６決定サブモジュールとを含むことを特徴とする、
項目２０に記載のセルタイプ指示装置。
（項目２４）
前記決定モジュールは、
前記システムメッセージに第３情報ユニットが含まれ、且つ前記第３情報ユニットのコンテンツが第２ＴＡＣであり、前記第２ＴＡＣは、セルタイプが高速鉄道専用ネットワークによってサービスされるセルであることを表す場合、前記第１セルのセルタイプが高速鉄道専用ネットワークによってサービスされるセルであることを決定するように構成される第７決定サブモジュールと、
前記システムメッセージに第３情報ユニットが含まれ、且つ前記第３情報ユニットのコンテンツが前記第２ＴＡＣではなく、前記第３情報ユニットのコンテンツが前記第２ＴＡＣではないと、セルタイプが一般的な公衆ＬＴＥネットワークのセルであることを表す場合、前記第１セルのセルタイプが一般的な公衆ＬＴＥネットワークのセルであることを決定するように構成される第８決定サブモジュールとを含むことを特徴とする、
項目２０に記載のセルタイプ指示装置。
（項目２５）
前記システム情報は、具体的に、システム情報ブロック（ＳＩＢ１）であることを特徴とする、
項目２０ないし２４のいずれか一項に記載のセルタイプ指示装置。
（項目２６）
前記アクセスモジュールは、
前記第１セルのセルタイプが高速鉄道専用ネットワークによってサービスされるセルであることを決定し、且つ端末の移動速度が第１速度閾値より高い場合、前記第１セルにアクセスする必要があると決定し、前記第１セルへのアクセスを開始するように構成される第１アクセスサブモジュールと、
前記第１セルのセルタイプが一般的な公衆ＬＴＥネットワークのセルであることを決定し、且つ端末の移動速度が第２速度閾値より低く、前記第２速度閾値が前記第１速度閾値より小さいか等しい場合、前記第１セルにアクセスする必要があると決定し、前記第１セルへのアクセスを開始するように構成される第２アクセスサブモジュールとを含むことを特徴とする、
項目２０に記載のセルタイプ指示装置。
（項目２７）
コンピュータプログラムを記憶した非一時的なコンピュータ読み取り可能な記憶媒体であって、
前記コンピュータプログラムは、項目１ないし６のいずれか一項に記載のセルタイプ指示方法を実行するために使用されることを特徴とする、前記非一時的なコンピュータ読み取り可能な記憶媒体。
（項目２８）
コンピュータプログラムを記憶した非一時的なコンピュータ読み取り可能な記憶媒体であって、
前記コンピュータプログラムは、項目７ないし１３のいずれか一項に記載のセルタイプ指示方法を実行するために使用されることを特徴とする、前記非一時的なコンピュータ読み取り可能な記憶媒体。
（項目２９）
セルタイプ指示装置であって、
第１セルを管理する基地局に使用され、前記装置は、
プロセッサと、
プロセッサ実行可能命令を記憶するように構成されるメモリとを含み、
前記プロセッサは、
前記第１セルのセルタイプを決定し、前記第１セルのセルタイプは、高速鉄道専用ネットワークによってサービスされるセル、または一般的な公衆ロングタームエボリューション（ＬＴＥ）ネットワークのセルを含み、
前記第１セルのセルタイプを指示するシステムメッセージを決定し、
前記システムメッセージを端末に送信して、前記端末が前記システムメッセージに従って前記第１セルのセルタイプを決定するようにし、前記第１セルのセルタイプに従って前記第１セルにアクセスする必要があると決定した場合、前記第１セルへのアクセスを開始するように構成されることを特徴とする、前記セルタイプ指示装置。
（項目３０）
セルタイプ指示装置であって、
端末に使用され、前記装置は、
プロセッサと、
プロセッサ実行可能命令を記憶するように構成されるメモリとを含み、
前記プロセッサは、
基地局によって送信された、第１セルのセルタイプを指示するシステムメッセージを受信し、
前記システムメッセージに従って、前記第１セルのセルタイプを決定し、前記第１セルのセルタイプは、高速鉄道専用ネットワークによってサービスされるセル、または一般的な公衆ＬＴＥネットワークのセルを含み、
前記第１セルのセルタイプに従って前記第１セルにアクセスする必要があると決定した場合、前記第１セルへのアクセスを開始するように構成されることを特徴とする、前記セルタイプ指示装置。
【国際調査報告】
2021510983.tif 000030
2021510983.tif 000031
2021510983.tif 000032
2021510983.tif 000033